(57)【要約】【課題】容量が小さい不揮発性メモリを用いて表示画面の輝度ムラを適切に補正する。【解決手段】補正データ記憶部３１に、表示画面に検査用画像データに応じた画像を表示させた際の各画素あるいは各画素群の輝度値と上記検査用画像データに対応する当該各画素あるいは当該各画素群の適正輝度値との差である輝度ムラ量のばらつき値と、各輝度ムラ領域における輝度ムラの程度とに応じて各輝度ムラ領域に対応する補正領域をグループ分けしたグループ情報と、そのグループ情報に対応付けられた、グループごとの補正の内容を示す補正情報とを含む補正データを記憶させておく。そして、表示用画像データに応じた画像を上記表示画面に表示させる際、空間分散処理部３３が、上記補正領域に含まれる画素のうち階調値を変化させる画素を上記補正データに含まれる当該各補正領域についてのグループ分け結果に基づいて決定する。【選択図】図１３
2011209639.tif 000002
【特許請求の範囲】
【請求項１】
表示用画像データに応じた画像を表示するための表示画面と、上記表示画面の各画素の表示状態を制御する駆動制御部とを備えた表示装置であって、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための、上記検査用画像データに基づいて作成された補正データを記憶する補正データ記憶部と、
上記表示用画像データに応じた画像を上記表示画面に表示させる際に、上記補正データ記憶部に記憶している補正データに基づいて上記補正領域に含まれる画素のうちの少なくとも一部の画素の階調値を変化させるように上記表示用画像データを補正する画像データ補正部とを備え、
上記補正データには、上記表示画面に上記検査用画像データに応じた画像を表示させた際の複数の画素を一群の画素群ごとに分割した各画素群の輝度値と上記検査用画像データに対応する当該各画素あるいは当該各画素群の適正輝度値との差である輝度ムラ量のばらつき値と各輝度ムラ領域における輝度ムラの程度とに応じて各輝度ムラ領域に対応する補正領域をグループ分けしたグループ情報と、そのグループ情報に対応付けられた、グループごとの補正の内容を示す補正情報とが含まれており、
上記画像データ補正部は、上記各補正領域において階調値を変化させる画素を当該各補正領域についてのグループ分け結果に基づいて決定し、
上記駆動制御部は、上記画像データ補正部によって補正された表示用画像データに応じた画像を表示させるように上記各画素の表示状態を制御することを特徴とする表示装置。
【請求項２】
表示用画像データに応じた画像を表示するための表示画面と、上記表示画面の各画素の表示状態を制御する駆動制御部とを備えた表示装置であって、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための、上記検査用画像データに基づいて作成された補正データを記憶する補正データ記憶部と、
上記表示用画像データに応じた画像を上記表示画面に表示させる際に、上記補正データ記憶部に記憶している補正データに基づいて上記補正領域に含まれる画素のうちの少なくとも一部の画素の階調値を変化させるように上記表示用画像データを補正する画像データ補正部とを備え、
上記補正データには、所定サイズの領域内に含まれる画素のうちのいずれの画素の階調値を変化させるかを予め定めた１または複数の基本補正パターンを示す基本補正パターン情報と、上記表示画面を複数の領域に分割し、その分割された領域ごとの、上記基本補正パターンを配置する座標を示す座標情報とが含まれており、
上記画像データ補正部は、上記各補正領域において階調値を変化させる画素を、上記基本補正パターン同士を組み合わせることによって決定することを特徴とする表示装置。
【請求項３】
上記補正情報は、補正を行うかどうかを示す補正要否情報、及び、補正を行う画素群については、その少なくとも一部の画素の階調値を上げる補正であるか又は下げる補正であるかを示す補正階調情報を含むことを特徴とする請求項１に記載の表示装置。
【請求項４】
画素の階調値を上げる補正または下げる補正が、隣接する画素群で連続して行われるときに、
上記補正階調情報は、上記隣接する画素群のうち、最初に補正が行われる画素群にのみ与えられており、他の画素群は、その補正階調情報を参照して補正が行われることを特徴とする請求項３に記載の表示装置。
【請求項５】
補正を行わない画素群が連続するときに、
補正を行わない最初の画素群に与えられる上記補正情報に、補正を行わない画素群がいくつ連続するかを示す情報を含めることを特徴とする請求項３または４に記載の表示装置。
【請求項６】
上記表示画面を複数の領域に分割し、その分割された領域ごとに上記補正情報が与えられることを特徴とする請求項１、３〜５の何れか１項に記載の表示装置。
【請求項７】
表示用画像データに応じた画像を表示するための表示画面を備えた表示装置における上記表示画面の輝度ムラを補正する輝度ムラ補正方法であって、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための上記検査用画像データに基づいて作成された補正データを記憶する補正データ記憶工程と、
上記表示用画像データに応じた画像を上記表示画面に表示させる際に、上記補正データ記憶部に記憶している補正データに基づいて上記補正領域に含まれる画素のうちの少なくとも一部の画素の階調値を変化させるように上記表示用画像データを補正する画像データ補正工程と、
上記画像データ補正工程によって補正された表示用画像データに応じた画像を表示させるように上記各画素の表示状態を制御する駆動制御工程とを含み、
上記補正データには、上記表示画面に上記検査用画像データに応じた画像を表示させた際の複数の画素を一群の画素群ごとに分割した各画素群の輝度値と上記検査用画像データに対応する当該各画素あるいは当該各画素群の適正輝度値との差である輝度ムラ量のばらつき値と各輝度ムラ領域における輝度ムラの程度とに応じて各輝度ムラ領域に対応する補正領域をグループ分けしたグループ情報と、そのグループ情報に対応付けられた、グループごとの補正の内容を示す補正情報とが含まれており、
上記画像データ補正工程では、上記各補正領域において階調値を変化させる画素を当該各補正領域についてのグループ分け結果に基づいて決定することを特徴とする輝度ムラ補正方法。
【請求項８】
表示用画像データに応じた画像を表示するための表示画面を備えた表示装置における上記表示画面の輝度ムラを補正する輝度ムラ補正方法であって、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための上記検査用画像データに基づいて作成された補正データを記憶する補正データ記憶工程と、
上記表示用画像データに応じた画像を上記表示画面に表示させる際に、上記補正データ記憶工程で記憶した補正データに基づいて上記補正領域に含まれる画素のうちの少なくとも一部の画素の階調値を変化させるように上記表示用画像データを補正する画像データ補正工程と、
上記画像データ補正工程によって補正された表示用画像データに応じた画像を表示させるように上記各画素の表示状態を制御する駆動制御工程とを含み、
上記補正データには、所定サイズの領域内に含まれる画素のうちのいずれの画素の階調値を変化させるかを予め定めた１または複数の基本補正パターンを特定するための基本補正パターン情報と、上記表示画面を複数の領域に分割し、その分割された領域ごとの、上記基本補正パターンを配置する座標を示す座標情報とが含まれており、
上記画像データ補正工程では、上記各補正領域において階調値を変化させる画素を、上記基本補正パターン情報によって特定される上記基本補正パターン同士を組み合わせることによって決定することを特徴とする輝度ムラ補正方法。
【請求項９】
請求項１、３〜６の何れか１項に記載の表示装置における上記補正データ記憶部に記憶させるための上記補正データを作成する補正データ作成装置であって、
検査用画像データに応じた画像が表示されている状態の上記表示画面を撮像して得られる撮像データにおける各画素の輝度値あるいは各画素を複数の画素毎に分割した各画素群の輝度値と、その移動平均値に基づく上記検査用画像データに対応する適正輝度値との差を算出し、算出した上記差の大きさが予め定められた閾値以上である画素あるいは画素群の集合からなる領域を輝度ムラ領域として検出する輝度ムラ検出部と、
上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成部とを備えており、
上記補正データ生成部は、
上記表示画面に上記検査用画像データに応じた画像を表示させた際の各画素あるいは各画素を複数の画素毎に分割した各画素群の輝度値と上記検査用画像データに対応する当該各画素あるいは当該各画素群の適正輝度値との差である輝度ムラ量のばらつき値と各輝度ムラ領域における輝度ムラの程度とに応じて各輝度ムラ領域に対応する補正領域をグループ分けしたグループ情報と、そのグループ情報に対応付けられた、グループごとの補正の内容を示す補正情報とを上記補正データに含めることを特徴とする補正データ作成装置。
【請求項１０】
請求項２に記載の表示装置における上記補正データ記憶部に記憶させるための上記補正データを作成する補正データ作成装置であって、
検査用画像データに応じた画像が表示されている状態の上記表示画面を撮像して得られる撮像データにおける各画素の輝度値あるいは各画素を複数の画素毎に分割した各画素群の輝度値と、その移動平均値に基づく上記検査用画像データに対応する適正輝度値との差を算出し、算出した上記差の大きさが予め定められた閾値以上である画素あるいは画素群の集合からなる領域を輝度ムラ領域として検出する輝度ムラ検出部と、
上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成部とを備えており、
上記補正データ生成部は、
所定サイズの領域内に含まれる画素のうちのいずれの画素の階調値を変化させるかを予め定めた１または複数の基本補正パターンを特定するための基本補正パターン情報と、上記表示画面を複数の領域に分割し、その分割された領域ごとの、上記基本補正パターンを配置する座標を示す座標情報とを上記補正データに含めることを特徴とする補正データ作成装置。
【請求項１１】
請求項１、３〜６の何れか１項に記載の表示装置における上記補正データ記憶部に記憶させるための上記補正データを作成する補正データ作成方法であって、
検査用画像データに応じた画像を上記表示画面に表示させる工程と、
上記検査用画像データに応じた画像が表示されている状態の上記表示画面を撮像して撮像データを取得する工程と、
上記撮像データにおける各画素の輝度値あるいは各画素を複数の画素毎に分割した各画素群の輝度値と、その移動平均値に基づく上記検査用画像データに対応する適正輝度値との差を算出し、算出した上記差の大きさが予め定められた閾値以上である画素あるいは画素群の集合からなる領域を輝度ムラ領域として検出する輝度ムラ検出工程と、
上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成工程とを含み、
上記補正データ生成工程では、
上記表示画面に上記検査用画像データに応じた画像を表示させた際の各画素あるいは各画素を複数の画素毎に分割した各画素群の輝度値と上記検査用画像データに対応する当該各画素あるいは当該各画素群の適正輝度値との差である輝度ムラ量のばらつき値と各輝度ムラ領域における輝度ムラの程度とに応じて各輝度ムラ領域に対応する補正領域をグループ分けしたグループ情報と、そのグループ情報に対応付けられた、グループごとの補正の内容を示す補正情報とを上記補正データに含めることを特徴とする補正データ作成方法。
【請求項１２】
請求項２に記載の表示装置における上記補正データ記憶部に記憶させるための上記補正データを作成する補正データ作成方法であって、
検査用画像データに応じた画像を上記表示画面に表示させる工程と、
上記検査用画像データに応じた画像が表示されている状態の上記表示画面を撮像して撮像データを取得する工程と、
上記撮像データにおける各画素の輝度値あるいは各画素を複数の画素毎に分割した各画素群の輝度値と、その移動平均値に基づく上記検査用画像データに対応する適正輝度値との差を算出し、算出した上記差の大きさが予め定められた閾値以上である画素あるいは画素群の集合からなる領域を輝度ムラ領域として検出する輝度ムラ検出工程と、
上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成工程とを含み、
上記補正データ生成工程では、
所定サイズの領域内に含まれる画素のうちのいずれの画素の階調値を変化させるかを予め定めた１または複数の基本補正パターンを特定するための基本補正パターン情報と、上記表示画面を複数の領域に分割し、その分割された領域ごとの、上記基本補正パターンを配置する座標を示す座標情報とを上記補正データに含めることを特徴とする補正データ作成方法。
【発明の詳細な説明】
【技術分野】
【０００１】
本発明は、表示装置の表示画面における輝度ムラを補正するための技術に関するものである。
【背景技術】
【０００２】
液晶表示装置やプラズマディスプレイ、有機ＥＬディスプレイ等の画像表示装置では、その製造工程上のさまざまな理由により、画面上の表示輝度が局所的に所望の輝度よりも暗くなったり明るくなったりする輝度ムラが発生することがある。
【０００３】
輝度ムラは、その形状に応じていくつかの種類に分類されるが、代表的なものに表示画面にスジ状の輝度ムラが生じるスジ状ムラと、局所的に斑点上の輝度ムラが生じる斑点状ムラがある。
【０００４】
例えば、小型高精細液晶パネルの製造工程においてガラス基板上にアモルファスシリコンを堆積した後、レーザー照射を行うことによって移動度の低いアモルファスシリコンを結晶化して移動度の高いポリシリコンに変化させる際に用いるレーザーの強度分布にムラがあると、レーザーのスキャン方向に沿ってポリシリコンの特性にムラが生じ、スジ状ムラの原因となる。また、表示装置中にはさまざまな寄生容量が存在するが、その寄生容量値が信号線などのライン毎にばらつくことによってスジ状ムラが生じる場合もある。
【０００５】
また、斑点状ムラは、例えば、表示パネルのセル厚が局所的に周囲と異なる、ＴＦＴの特性が局所的に異なる、電極パターン寸法が局所的に異なる、配向膜ピンホールが局所的に存在する、汚染異物が局所的に混入している、などの原因によって生じる。
【０００６】
輝度ムラを補正する方法として、例えば、特許文献１には、液晶表示装置においてバックライトからの距離に応じてバックライトからの照射光の光量が異なることに起因する輝度ムラを補正するために、バックライトからの距離に応じた係数を映像信号に乗算することで輝度ムラの補正を図ることが記載されている。
【先行技術文献】
【特許文献】
【０００７】
【特許文献１】特開２０００−２５３２７７号公報（平成１２年９月１４日公開）
【発明の概要】
【発明が解決しようとする課題】
【０００８】
しかしながら、上記特許文献１の技術では、バックライトからの距離に応じて垂直ラインに属する各画素を一律に補正しているため、表示パネル上に局所的に発生する輝度ムラを補正することができない。
【０００９】
また、小型液晶パネルの液晶ドライバ中に搭載できる不揮発性メモリの容量は一般に非常に小容量である。ところが、液晶パネル上に局所的に発生する輝度ムラを補正するための補正データは容量が大きいので、小容量の不揮発性メモリに記憶させるのは通常困難である。
【００１０】
本発明は、上記の問題点に鑑みてなされたものであり、その目的は、容量が非常に小さい不揮発性メモリを用いて表示パネル上に局所的に発生する輝度ムラを適切に補正することにある。
【課題を解決するための手段】
【００１１】
本発明に係る表示装置は、上記の課題を解決するために、
表示用画像データに応じた画像を表示するための表示画面と、上記表示画面の各画素の表示状態を制御する駆動制御部とを備えた表示装置であって、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための、上記検査用画像データに基づいて作成された補正データを記憶する補正データ記憶部と、
上記表示用画像データに応じた画像を上記表示画面に表示させる際に、上記補正データ記憶部に記憶している補正データに基づいて上記補正領域に含まれる画素のうちの少なくとも一部の画素の階調値を変化させるように上記表示用画像データを補正する画像データ補正部とを備え、
上記補正データには、上記表示画面に上記検査用画像データに応じた画像を表示させた際の複数の画素を一群の画素群ごとに分割した各画素群の輝度値と上記検査用画像データに対応する当該各画素あるいは当該各画素群の適正輝度値との差である輝度ムラ量のばらつき値と各輝度ムラ領域における輝度ムラの程度とに応じて各輝度ムラ領域に対応する補正領域をグループ分けしたグループ情報と、そのグループ情報に対応付けられた、グループごとの補正の内容を示す補正情報とが含まれており、
上記画像データ補正部は、上記各補正領域において階調値を変化させる画素を当該各補正領域についてのグループ分け結果に基づいて決定し、  上記駆動制御部は、上記画像データ補正部によって補正された表示用画像データに応じた画像を表示させるように上記各画素の表示状態を制御することを特徴としている。
【００１２】
上記の構成によれば、表示画面に検査用画像データに応じた画像を表示させた際に当該検査用画像データに対応する適正輝度値と異なる輝度値の画像が表示された領域である輝度ムラ領域のうちの少なくとも一部の輝度ムラ領域について、表示用画像データに応じた画像を表示する際の輝度値と当該表示用画像データに対応する適正輝度値との差を小さくするように、表示用画像データにおける上記少なくとも一部の輝度ムラ領域に対応する領域または当該輝度ムラ領域とその周辺領域を含む領域である補正領域に含まれる画素のデータを補正するための上記検査用画像データに基づいて作成された補正データを補正データ記憶部に記憶させておき、表示用画像データに応じた画像を上記表示画面に表示させる際に、画像データ補正部が、補正データ記憶部に記憶している補正データに基づいて補正領域に含まれる画素のうちの少なくとも一部の画素の階調値を変化させるように表示用画像データを補正する。また、上記補正データには、上記表示画面に上記検査用画像データに応じた画像を表示させた際の各画素あるいは各画素を複数の画素毎に分割した各画素群の輝度値と上記検査用画像データに対応する当該各画素あるいは当該各画素群の適正輝度値との差である輝度ムラ量のばらつき値と各輝度ムラ領域における輝度ムラの程度とに応じて各輝度ムラ領域に対応する補正領域をグループ分けしたグループ情報と、そのグループ情報に対応付けられた、グループごとの補正の内容を示す補正情報とが含まれており、画像データ補正部は、各補正領域において階調値を変化させる画素を当該各補正領域についてのグループ分け結果に基づいて決定する。
【００１３】
このように、補正領域を輝度ムラ量のばらつき値に基づいてグループ分けし、グループ分け結果に応じて階調値を補正する画素を決定することにより、グループ分けを行わずに各補正領域の輝度ムラ量に応じて補正領域毎に階調値を補正する画素を演算する場合に比べて、補正データのデータ量を削減できる。しかも、補正データには、グループ情報に加え、そのグループ情報に対応付けられた、グループごとの補正の内容を示す補正情報が含まれている。したがって、補正情報を、たとえば[０]、[１]のビット表現等で予め規定しておくことにより、補正領域ごとに階調値を補正する内容をそれぞれ定める場合に比べて、さらに補正データのデータ量を削減できる。それゆえ、補正データ記憶部の記憶容量を低減することができ、補正データ記憶部として記憶容量の少ない不揮発性メモリを用いることができる。
【００１４】
また、輝度ムラ量は表示画面ごとに大きく異なるが、輝度ムラ量のばらつき値に基づいてグループ分けを行うことにより、表示画面ごとに輝度ムラ量が異なっていても、各表示画面における各補正領域をそれぞれの表示画面の輝度ムラ量に応じてグループ分けすることができる。したがって、それぞれの表示画面の輝度ムラの程度に応じて、表示画面上に局所的に発生する輝度ムラを適切に補正することができる。
【００１５】
また、本発明に係る表示装置は、上記の課題を解決するために、
表示用画像データに応じた画像を表示するための表示画面と、上記表示画面の各画素の表示状態を制御する駆動制御部とを備えた表示装置であって、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための、上記検査用画像データに基づいて作成された補正データを記憶する補正データ記憶部と、
上記表示用画像データに応じた画像を上記表示画面に表示させる際に、上記補正データ記憶部に記憶している補正データに基づいて上記補正領域に含まれる画素のうちの少なくとも一部の画素の階調値を変化させるように上記表示用画像データを補正する画像データ補正部とを備え、
上記補正データには、所定サイズの領域内に含まれる画素のうちのいずれの画素の階調値を変化させるかを予め定めた１または複数の基本補正パターンを示す基本補正パターン情報と、上記表示画面を複数の領域に分割し、その分割された領域ごとの、上記基本補正パターンを配置する座標を示す座標情報とが含まれており、
上記画像データ補正部は、上記各補正領域において階調値を変化させる画素を、上記基本補正パターン同士を組み合わせることによって決定することを特徴としている。
【００１６】
上記の構成によれば、所定サイズの領域内に含まれる画素のうちのいずれの画素の階調値を変化させるかを予め定めた１または複数の基本補正パターンを示す基本補正パターン情報を補正データに含ませておき、それに基づいて階調値を変化させる画素を決定することにより、基本補正パターンを用いずに各補正領域の輝度ムラ量に応じて補正領域毎に階調値を補正する画素を演算する場合に比べて、補正データのデータ量を削減できる。また、各補正領域の輝度ムラ量のばらつき値に応じた基本補正パターンを選択することにより、表示画面上に局所的に発生する輝度ムラを輝度ムラ量に応じて適切に補正することができる。加えて、補正データには、基本補正パターン情報に加え、上記表示画面を複数の領域に分割し、その分割された領域ごとの、上記基本補正パターンを配置する座標を示す座標情報が含まれている。したがって、表示画面を複数の領域に分割することにより、その座標を特定する補正データのデータ量を削減することができるため、補正データのデータ量をさらに削減することができる。
【００１７】
また、本発明に係る表示装置では、
上記補正情報は、補正を行うかどうかを示す補正要否情報、及び、補正を行う画素群については、その少なくとも一部の画素の階調値を上げる補正であるか又は下げる補正であるかを示す補正階調情報を含むことが好ましい。
【００１８】
上記の構成によれば、補正情報には、補正要否情報および補正階調情報が含まれている。したがって、補正を行う画素群と補正を行わない画素群とが混在する場合には、補正を行わない画素群に対する補正階調情報が不要となり、その結果、さらに補正データのデータ量を削減できる。それゆえ、補正データ記憶部の記憶容量を低減することができ、補正データ記憶部として記憶容量の少ない不揮発性メモリを用いることができる。
【００１９】
また、本発明に係る表示装置では、
画素の階調値を上げる補正または下げる補正が、隣接する画素群で連続して行われるときに、
上記補正階調情報は、上記隣接する画素群のうち、最初に補正が行われる画素群にのみ与えられており、他の画素群は、その補正階調情報を参照して補正が行われることが好ましい。
【００２０】
上記の構成によれば、上記補正階調情報は、上記隣接する画素群のうち、最初に補正が行われる画素群にのみ与えられており、その補正階調情報を参照して補正が行われる他の画素群に対して、上記補正階調情報を与える必要がない。
【００２１】
したがって、さらに補正データのデータ量を削減でき、補正データ記憶部の記憶容量を低減することができ、補正データ記憶部として記憶容量の少ない不揮発性メモリを用いることができる。
【００２２】
また、本発明に係る表示装置では、
補正を行わない画素群が連続するときに、
補正を行わない最初の画素群に与えられる上記補正情報に、補正を行わない画素群がいくつ連続するかを示す情報を含めることが好ましい。
【００２３】
上記の構成によれば、補正を行わない最初の画素群に与えられる上記補正情報に、補正を行わない画素群がいくつ連続するかを示す情報が含まれている。つまり、それに続く画素群には、補正を行わないことを示す無補正情報を与える必要がない。
【００２４】
したがって、さらに補正データのデータ量を削減でき、補正データ記憶部の記憶容量を低減することができ、補正データ記憶部として記憶容量の少ない不揮発性メモリを用いることができる。
【００２５】
なお、上記構成は、特に、表示画面において、無補正の画素群の連続が多い場合に、非常に効果的なデータ削減方法となる。
【００２６】
また、本発明に係る表示装置では、
上記表示画面を複数の領域に分割し、その分割された領域ごとに上記補正情報が与えられることが好ましい。
【００２７】
上記構成とすることにより、例えば、補正をするかどうかを示す情報が補正情報に含まれている場合において、補正をしないのであれば、補正の内容を示す他の情報は不要となり、結果として、全補正データのデータ量を小さなものにすることができる。つまり、上記構成とすることにより、補正データのデータ量を削減することができるという効果を奏する。
【００２８】
本発明に係る輝度ムラ補正方法は、上記の課題を解決するために、
表示用画像データに応じた画像を表示するための表示画面を備えた表示装置における上記表示画面の輝度ムラを補正する輝度ムラ補正方法であって、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための上記検査用画像データに基づいて作成された補正データを記憶する補正データ記憶工程と、
上記表示用画像データに応じた画像を上記表示画面に表示させる際に、上記補正データ記憶部に記憶している補正データに基づいて上記補正領域に含まれる画素のうちの少なくとも一部の画素の階調値を変化させるように上記表示用画像データを補正する画像データ補正工程と、
上記画像データ補正工程によって補正された表示用画像データに応じた画像を表示させるように上記各画素の表示状態を制御する駆動制御工程とを含み、
上記補正データには、上記表示画面に上記検査用画像データに応じた画像を表示させた際の複数の画素を一群の画素群ごとに分割した各画素群の輝度値と上記検査用画像データに対応する当該各画素あるいは当該各画素群の適正輝度値との差である輝度ムラ量のばらつき値と各輝度ムラ領域における輝度ムラの程度とに応じて各輝度ムラ領域に対応する補正領域をグループ分けしたグループ情報と、そのグループ情報に対応付けられた、グループごとの補正の内容を示す補正情報とが含まれており、
上記画像データ補正工程では、上記各補正領域において階調値を変化させる画素を当該各補正領域についてのグループ分け結果に基づいて決定することを特徴としている。
【００２９】
上記の方法によれば、補正領域を輝度ムラ量のばらつき値に基づいてグループ分けし、グループ分け結果に応じて階調値を補正する画素を決定することにより、グループ分けを行わずに各補正領域の輝度ムラ量に応じて補正領域毎に階調値を補正する画素を設定する場合に比べて、補正データのデータ量を削減できる。したがって、補正データを記憶する記憶手段の記憶容量を低減することができ、上記記憶手段として記憶容量の少ない不揮発性メモリを用いることができる。
【００３０】
また、輝度ムラ量は表示画面ごとに大きく異なるが、輝度ムラ量のばらつき値に基づいてグループ分けを行うことにより、表示画面ごとに輝度ムラ量が異なっていても、各表示画面における各補正領域をそれぞれの表示画面の輝度ムラ量に応じてグループ分けすることができる。したがって、それぞれの表示画面の輝度ムラの程度に応じて、表示画面上に局所的に発生する輝度ムラを適切に補正することができる。
【００３１】
本発明に係る輝度ムラ補正方法は、上記の課題を解決するために、
表示用画像データに応じた画像を表示するための表示画面を備えた表示装置における上記表示画面の輝度ムラを補正する輝度ムラ補正方法であって、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための上記検査用画像データに基づいて作成された補正データを記憶する補正データ記憶工程と、
上記表示用画像データに応じた画像を上記表示画面に表示させる際に、上記補正データ記憶工程で記憶した補正データに基づいて上記補正領域に含まれる画素のうちの少なくとも一部の画素の階調値を変化させるように上記表示用画像データを補正する画像データ補正工程と、
上記画像データ補正工程によって補正された表示用画像データに応じた画像を表示させるように上記各画素の表示状態を制御する駆動制御工程とを含み、
上記補正データには、所定サイズの領域内に含まれる画素のうちのいずれの画素の階調値を変化させるかを予め定めた１または複数の基本補正パターンを特定するための基本補正パターン情報と、上記表示画面を複数の領域に分割し、その分割された領域ごとの、上記基本補正パターンを配置する座標を示す座標情報とが含まれており、
上記画像データ補正工程では、上記各補正領域において階調値を変化させる画素を、上記基本補正パターン情報によって特定される上記基本補正パターン同士を組み合わせることによって決定することを特徴としている。
【００３２】
上記の方法によれば、所定サイズの領域内に含まれる画素のうちのいずれの画素の階調値を変化させるかを予め定めた１または複数の基本補正パターンを示す基本補正パターン情報を補正データに含めておき、それに基づいて階調値を変化させる画素を決定することにより、基本補正パターンを用いずに各補正領域の輝度ムラ量に応じて補正領域毎に階調値を補正する画素を演算する場合に比べて、補正データのデータ量を削減できる。また、各補正領域の輝度ムラ量のばらつき値に応じた基本補正パターンを選択することにより、表示画面上に局所的に発生する輝度ムラを輝度ムラ量に応じて適切に補正することができる。
【００３３】
本発明に係る補正データ作成装置は、上記の課題を解決するために、
上記に記載の表示装置における上記補正データ記憶部に記憶させるための上記補正データを作成する補正データ作成装置であって、
検査用画像データに応じた画像が表示されている状態の上記表示画面を撮像して得られる撮像データにおける各画素の輝度値あるいは各画素を複数の画素毎に分割した各画素群の輝度値と、その移動平均値に基づく上記検査用画像データに対応する適正輝度値との差を算出し、算出した上記差の大きさが予め定められた閾値以上である画素あるいは画素群の集合からなる領域を輝度ムラ領域として検出する輝度ムラ検出部と、
上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成部とを備えており、
上記補正データ生成部は、
上記表示画面に上記検査用画像データに応じた画像を表示させた際の各画素あるいは各画素を複数の画素毎に分割した各画素群の輝度値と上記検査用画像データに対応する当該各画素あるいは当該各画素群の適正輝度値との差である輝度ムラ量のばらつき値と各輝度ムラ領域における輝度ムラの程度とに応じて各輝度ムラ領域に対応する補正領域をグループ分けしたグループ情報と、そのグループ情報に対応付けられた、グループごとの補正の内容を示す補正情報とを上記補正データに含めることを特徴としている。
【００３４】
また、本発明に係る補正データ作成方法は、上記の課題を解決するために、
上記に記載の表示装置における上記補正データ記憶部に記憶させるための上記補正データを作成する補正データ作成方法であって、
検査用画像データに応じた画像を上記表示画面に表示させる工程と、
上記検査用画像データに応じた画像が表示されている状態の上記表示画面を撮像して撮像データを取得する工程と、
上記撮像データにおける各画素の輝度値あるいは各画素を複数の画素毎に分割した各画素群の輝度値と、その移動平均値に基づく上記検査用画像データに対応する適正輝度値との差を算出し、算出した上記差の大きさが予め定められた閾値以上である画素あるいは画素群の集合からなる領域を輝度ムラ領域として検出する輝度ムラ検出工程と、
上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成工程とを含み、
上記補正データ生成工程では、
上記表示画面に上記検査用画像データに応じた画像を表示させた際の各画素あるいは各画素を複数の画素毎に分割した各画素群の輝度値と上記検査用画像データに対応する当該各画素あるいは当該各画素群の適正輝度値との差である輝度ムラ量のばらつき値と各輝度ムラ領域における輝度ムラの程度とに応じて各輝度ムラ領域に対応する補正領域をグループ分けしたグループ情報と、そのグループ情報に対応付けられた、グループごとの補正の内容を示す補正情報とを上記補正データに含めることを特徴としている。
【００３５】
上記の補正データ作成装置および補正データ作成方法によれば、グループ情報を含む補正データを作成することができるので、表示装置において上記補正データを用いて輝度ムラを適切に補正することができる。また、グループ情報を含まない補正データを用いる場合に比べて、表示装置において補正領域毎に各補正領域の輝度ムラ量を考慮して階調値を補正する画素を設定するための条件を補正データに含める必要がないので、補正データのデータサイズを小さくできる。加えて、補正データには、グループ情報に加え、そのグループ情報に対応付けられた、グループごとの補正の内容を示す補正情報が含まれている。したがって、補正情報を、たとえば[０]、[１]のビット表現等で予め規定しておくことにより、補正領域ごとに階調値を補正する内容をそれぞれ定める場合に比べて、さらに補正データのデータ量を削減できる。したがって、表示装置に備えられる補正データ記憶部の記憶容量を低減することができる。
【００３６】
また、本発明に係る補正データ作成装置は、上記の課題を解決するために、
上記に記載の表示装置における上記補正データ記憶部に記憶させるための上記補正データを作成する補正データ作成装置であって、
検査用画像データに応じた画像が表示されている状態の上記表示画面を撮像して得られる撮像データにおける各画素の輝度値あるいは各画素を複数の画素毎に分割した各画素群の輝度値と、その移動平均値に基づく上記検査用画像データに対応する適正輝度値との差を算出し、算出した上記差の大きさが予め定められた閾値以上である画素あるいは画素群の集合からなる領域を輝度ムラ領域として検出する輝度ムラ検出部と、
上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成部とを備えており、
上記補正データ生成部は、
所定サイズの領域内に含まれる画素のうちのいずれの画素の階調値を変化させるかを予め定めた１または複数の基本補正パターンを特定するための基本補正パターン情報と、上記表示画面を複数の領域に分割し、その分割された領域ごとの、上記基本補正パターンを配置する座標を示す座標情報とを上記補正データに含めることを特徴としている。
【００３７】
また、本発明に係る補正データ作成方法は、上記の課題を解決するために、
上記に記載の表示装置における上記補正データ記憶部に記憶させるための上記補正データを作成する補正データ作成方法であって、
検査用画像データに応じた画像を上記表示画面に表示させる工程と、
上記検査用画像データに応じた画像が表示されている状態の上記表示画面を撮像して撮像データを取得する工程と、
上記撮像データにおける各画素の輝度値あるいは各画素を複数の画素毎に分割した各画素群の輝度値と、その移動平均値に基づく上記検査用画像データに対応する適正輝度値との差を算出し、算出した上記差の大きさが予め定められた閾値以上である画素あるいは画素群の集合からなる領域を輝度ムラ領域として検出する輝度ムラ検出工程と、
上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成工程とを含み、
上記補正データ生成工程では、
所定サイズの領域内に含まれる画素のうちのいずれの画素の階調値を変化させるかを予め定めた１または複数の基本補正パターンを特定するための基本補正パターン情報と、上記表示画面を複数の領域に分割し、その分割された領域ごとの、上記基本補正パターンを配置する座標を示す座標情報とを上記補正データに含めることを特徴としている。
【００３８】
上記の補正データ作成装置および補正データ作成方法によれば、所定サイズの領域内に含まれる画素のうちのいずれの画素の階調値を変化させるかを予め定めた１または複数の基本補正パターンを特定するための基本補正パターン情報を含む補正データを作成することができるので、基本補正パターンを用いて表示装置において上記補正データを用いて輝度ムラを適切に補正することができる。また、基本補正パターンを用いることにより、表示装置において補正領域毎に各補正領域の輝度ムラ量を考慮して階調値を補正する画素を演算するための条件を補正データに含める必要がないので、補正データのデータサイズを小さくできる。加えて、補正データには、基本補正パターン情報に加え、上記表示画面を複数の領域に分割し、その分割された領域ごとの、上記基本補正パターンを配置する座標を示す座標情報が含まれている。したがって、表示装置に備えられる補正データ記憶部の記憶容量を低減することができる。
【発明の効果】
【００３９】
以上のように、本発明に係る表示装置は、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための、上記検査用画像データに基づいて作成された補正データを記憶する補正データ記憶部と、
上記表示用画像データに応じた画像を上記表示画面に表示させる際に、上記補正データ記憶部に記憶している補正データに基づいて上記補正領域に含まれる画素のうちの少なくとも一部の画素の階調値を変化させるように上記表示用画像データを補正する画像データ補正部とを備え、
上記補正データには、上記表示画面に上記検査用画像データに応じた画像を表示させた際の複数の画素を一群の画素群ごとに分割した各画素群の輝度値と上記検査用画像データに対応する当該各画素あるいは当該各画素群の適正輝度値との差である輝度ムラ量のばらつき値と各輝度ムラ領域における輝度ムラの程度とに応じて各輝度ムラ領域に対応する補正領域をグループ分けしたグループ情報と、そのグループ情報に対応付けられた、グループごとの補正の内容を示す補正情報とが含まれており、
上記画像データ補正部は、上記各補正領域において階調値を変化させる画素を当該各補正領域についてのグループ分け結果に基づいて決定し、
上記駆動制御部は、上記画像データ補正部によって補正された表示用画像データに応じた画像を表示させるように上記各画素の表示状態を制御する構成である。
【００４０】
また、本発明に係る表示装置は、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための、上記検査用画像データに基づいて作成された補正データを記憶する補正データ記憶部と、
上記表示用画像データに応じた画像を上記表示画面に表示させる際に、上記補正データ記憶部に記憶している補正データに基づいて上記補正領域に含まれる画素のうちの少なくとも一部の画素の階調値を変化させるように上記表示用画像データを補正する画像データ補正部とを備え、
上記補正データには、所定サイズの領域内に含まれる画素のうちのいずれの画素の階調値を変化させるかを予め定めた１または複数の基本補正パターンを示す基本補正パターン情報と、上記表示画面を複数の領域に分割し、その分割された領域ごとの、上記基本補正パターンを配置する座標を示す座標情報とが含まれており、
上記画像データ補正部は、上記各補正領域において階調値を変化させる画素を、上記基本補正パターン同士を組み合わせることによって決定する構成である。
【００４１】
それゆえ、容量が小さい不揮発性メモリを用いて表示画面の輝度ムラを適切に補正することができる。
【図面の簡単な説明】
【００４２】
【図１】本発明の一実施形態にかかる表示装置における画像データの補正方法を示す説明図である。
【図２】本発明の一実施形態にかかる補正データ作成装置の構成を示すブロック図である。
【図３】図２に示した補正データ作成装置において撮像データから抽出される輝度データ、およびこの輝度データから算出される移動平均値の一例を示すグラフである。
【図４】図３に示した輝度データからバックライトに起因する輝度ムラ等の緩やかに変化する輝度ムラの影響を除去した輝度データ、および表示画面の平均輝度を示すグラフである。
【図５】図２に示した補正データ作成装置における補正情報の生成方法を説明するための説明図である。
【図６】図２に示した補正データ作成装置における補正情報の生成方法を説明するための説明図である。
【図７】図２に示した補正データ作成装置において生成される補正データにおける補正画素（調整補正画素）および補正しない画素（調整補正画素以外の画素）の一例を示す説明図である。
【図８】図２に示した補正データ作成装置において撮像データから抽出される輝度データ、この輝度データから算出される移動平均値、および全輝度の平均値の一例を示すグラフである。
【図９】図２に示した補正データ作成装置における補正情報の生成方法を説明するための説明図である。
【図１０】図２に示した補正データ作成装置において得られた補正情報を、補正データとして記述する方法を説明するためのフロ−チャートである。
【図１１】図２に示した補正データ作成装置において得られた補正情報を、補正データとして記述する方法を説明するためのフロ−チャートである。
【図１２】図２に示した補正データ作成装置において得られた補正情報を、補正データとして記述する方法を説明するためのフロ−チャートである。
【図１３】本発明の一実施形態にかかる表示装置に備えられる駆動制御部の構成を示すブロック図である。
【図１４】図８に示した駆動制御部において設定される補正パターンの一例を示す説明図である。
【図１５】輝度ムラ補正処理の前後の輝度データを示すグラフである。
【図１６】本発明の他の実施形態にかかる補正データ作成装置の構成を示すブロック図である。
【図１７】斑点状ムラの補正方法の概念を示す図である。
【図１８】本発明の他の実施形態にかかる表示装置に備えられる駆動制御部の構成を示すブロック図である。
【図１９】４×４の大きさのＲ，Ｇ，Ｂ各色のディザ行列を示す図である。
【図２０】４画素×４画素の大きさを持つ基本補正パターンを示す図である。
【図２１】図１５に示した基本補正パターンの組み合わせ方を示した補正パターンを示す図である。
【図２２】図１３に示した駆動制御部における補正パターンの設定方法の一例を示す説明図である。
【図２３】本発明のさらに他の実施形態にかかる補正データ作成装置の構成を示すブロック図である。
【図２４】本発明のさらに他の実施形態にかかる表示装置に備えられる駆動制御部の構成を示すブロック図である。
【発明を実施するための形態】
【００４３】
〔実施形態１〕
本発明の一実施形態について説明する。なお、本実施形態では、携帯電話等のモバイル型の装置に備えられる透過型の液晶表示装置であって、ＲＧＢの各色を６ビットで表現した画像データに基づいて表示を行う表示装置における、ソースライン（データライン）の延伸方向に平行な方向のスジ状ムラを補正する場合の例について主に説明する。ただし、本発明の適用対象はこれに限るものではない。
【００４４】
図２は、本実施形態にかかる補正データ作成装置１０の構成を示すブロック図である。この図に示すように、補正データ作成装置１０は、表示データ生成部１１、撮像部１２、輝度データ抽出部１３、移動平均化処理部１４、輝度ムラ検出部１５、および補正データ生成部１６を備えている。
【００４５】
表示データ生成部１１は、表示パネル２１における輝度ムラの有無の検査を行う際に、この表示パネルに表示させる表示データを生成し、表示パネル２１の駆動制御部２２に出力する。一般に、輝度ムラは中間調の画像を同一階調で全面均一表示をさせた場合に視認されやすい。このため、本実施形態では、表示データ生成部１１は、輝度ムラを検出するために表示パネルの全画素に中間調の同一階調の画像を表示させるための画像データである検査用画像データを生成する。
【００４６】
撮像部１２は、表示データ生成部１１によって生成された検査用画像データに応じた画像が表示されている表示パネル２１の表示面を撮像して撮像データを取得する。撮像部１２としては、例えばＣＣＤカメラなどを用いることができる。
【００４７】
輝度データ抽出部１３は、撮像部１２の取得した撮像データから輝度データを抽出する。
【００４８】
移動平均化処理部１４は、輝度データ抽出部１３の抽出した輝度データにおける上記表示画面のソースラインに対応する領域（あるいはソースラインの延伸方向に平行な所定幅の領域）の画素の集合であるライン画素群について、当該ライン画素群に含まれる各画素の輝度の平均値を当該ライン画素群の輝度値として算出する。また、移動平均化処理部１４は、上記各ライン画素群の輝度値を、そのライン画素群を含む所定範囲の周辺領域（例えば当該ライン画素群を中心とする当該ライン画素群の延伸方向に垂直な方向の３ｍｍの幅の領域）に含まれる各画素の輝度値で平均化した移動平均値を算出する移動平均化処理を行う。
【００４９】
なお、図２における、表示データ生成部１１、輝度データ抽出部１３、移動平均化処理部１４、輝度ムラ検出部１５、補正データ生成部１６は、各々独立した回路である必要はなく、補正データ生成装置１０が、これらの機能を有していればよい。例えば、これらの演算機能をすべて、パーソナルコンピュータのＣＰＵにて行うこともできる。すなわち、補正データ生成装置１０は、撮像部１２としてのデジタルカメラと、上記各演算機能を行うためのパーソナルコンピュータとを接続することで形成することもできる。
【００５０】
図３の実線は輝度データ抽出部１３の抽出した輝度データに基づいて算出した各ライン画素群の輝度値を示すグラフであり、破線は上記の各ライン画素群の輝度値の移動平均値を示すグラフである。上記移動平均値は、バックライトに起因する輝度ムラなどの緩やかな輝度ムラを除去し、ムラと認識されやすい局所的な輝度ムラを抽出するために求めるもので、ムラのない状態の輝度を示す。また、図４の実線は、図３における各ライン画素群の輝度値から上記移動平均値を引いた値にパネル輝度の平均値（表示画面全体の輝度の平均値）を加えたもので、バックライトに起因する輝度ムラ等の緩やかに変化する輝度ムラの影響を除去した後の各ライン画素群の輝度値を示すグラフであり、破線はパネル輝度の平均値を示すグラフである。なお、これら各グラフにおける横軸は各ライン画素群の位置を示しており、縦軸は各ライン画素群の輝度値（各ライン画素群に属する画素の輝度値の平均値）示している。
【００５１】
輝度ムラ検出部１５は、輝度データ抽出部１３が撮像データから抽出した各ライン画素群の輝度値と、その移動平均値とに基づいて輝度ムラが生じている領域を検出する。
【００５２】
具体的には、輝度ムラ検出部１５は、輝度データ抽出部１３が撮像データから抽出した輝度データにおける各ライン画素群の輝度値と、その移動平均値との差を算出し、算出した差の絶対値が所定の閾値以上であるライン画素群の集合からなる領域を輝度ムラ（輝度ムラ領域）として検出する。つまり、各ライン画素群の輝度値の移動平均値を当該各ライン画素群についての輝度ムラが生じていない場合の適正輝度値とみなして各ライン画素群の輝度値と比較することにより、輝度ムラが生じている領域を検出する。これにより、バックライトの影響等を除去して輝度ムラを適切に検出することができる。
【００５３】
すなわち、透過型の液晶表示装置では、一般にバックライトからの照射光を表示パネルに均一に照射するために拡散板等が備えられるものの、完全に均一化することは困難なため、バックライトに対する相対位置に応じてバックライトからの照射光の輝度に差が生じる場合がある。ただし、バックライトに対する相対位置に起因する輝度分布は表示パネルの広範囲にわたって比較的なだらかに変化するので（図３における破線部の傾き参照）、輝度ムラとして視認されることは少ない。つまり、人間の目に輝度ムラと認識されるのは、局所的に大きく輝度が変化している場合であり、空間的に大きな周期で輝度が連続的に変化している場合は、ムラと認識されにくい。このため、バックライトからの照射光の輝度分布に起因する輝度の差は輝度ムラとして視認されることは少ない。
【００５４】
一方で、バックライトの影響を考慮せずに、輝度ムラが生じていない適正領域の輝度値を表示画面の全領域について一定値とみなすと、輝度ムラとして視認されない領域が輝度ムラとして検出されたり、輝度ムラとして視認される領域が適正領域として検出されたりする場合が生じる。つまり、輝度ムラが生じていない適正領域の輝度値（適正輝度値）は表示パネル上の位置に応じて異なっている。
【００５５】
そこで、本実施形態では、輝度データ抽出部１３の抽出した輝度データに対して移動平均化処理部１４が移動平均化処理を施し、各ライン画素群の輝度値の移動平均値を当該各ライン画素群が適正領域である場合の輝度値（適正輝度値）とみなす。これにより、バックライトからの照射光の輝度分布の影響を除去し、輝度ムラとして視認されやすい、隣接領域の輝度との差が急激に変化している領域を輝度ムラとして適切かつ容易に検出することができる。
【００５６】
移動平均を用いた輝度ムラの検出は、人間の目に認識されやすい輝度ムラを効果的に検出できるとともに、複雑な解析演算を必要しないため高速に処理することができ、パーソナルコンピュータ等の安価な演算機器を用いて高いスループットを実現することができる。
【００５７】
なお、移動平均化処理において平均化する範囲（ライン画素群の延伸方向に垂直な方向の範囲）は、スジ状の輝度ムラ領域の幅よりも十分に広く、当該範囲内の各位置におけるバックライトからの照射光の輝度値の差が輝度ムラ領域における輝度値の適正輝度値からのずれに対して十分に小さくなる範囲に設定することが好ましい。
【００５８】
移動平均処理で平均化する範囲が小さすぎる場合には、個々のライン画素群の輝度と、その移動平均値の差分をとった時に、視認されやすい輝度ムラを十分に検出することができなくなる。これは、個々のライン画素群の輝度ムラの分布が、移動平均値の分布に対して過度に反映されてしまうことによる。
【００５９】
一方、移動平均処理で平均化する範囲が広すぎると、視認されにくいバックライトに起因する輝度ムラまでも、輝度ムラとして検出されてしまう。この場合、輝度ムラを補正するための情報をデータ化する場合に、データ量が非常に大きなものになってしまい、コスト上昇につながる。そこで、携帯電話等のモバイル機器に備えられる数百画素×数百画素程度の表示パネルの場合、１ｍｍ以上５ｍｍ以下の範囲に設定することが好ましく、この範囲の数値の幅で移動平均をとって適正輝度値とすることにより、人間の肉眼によって視認される輝度ムラを効果的に検出することができる。本実施形態では、３６０画素×４８０画素の表示パネル２１を用いており、上記範囲を３ｍｍとした。
【００６０】
補正データ生成部１６は、輝度ムラ検出部１５の検出した輝度ムラの情報に基づいて、輝度ムラを視認されにくくするための補正データを生成する。この補正データは、表示装置２０の駆動制御部２２に出力され、駆動制御部２２内部の記憶部に保存されるものであり、駆動制御部２２内の回路は、表示しようとする画像の画像データをこの補正データに基づいて加工し、輝度ムラが目立たないように画像表示を行うことができる。すなわち、補正データは、駆動制御部２２の回路に対して、表示パネル２１上のどの画素にどのような補正を行うかを記述したものであり、補正すべきムラ領域の位置及びムラ強度に基づいて生成される。なお、輝度ムラ領域に含まれるライン画素群の輝度値のピーク値と適正輝度値との差が所定の基準値未満の場合にはスジ状の輝度ムラは存在しないものとみなし、その領域には補正を与えないようにしてもよい。
【００６１】
本実施形態では、上記したように、ＲＧＢの各色を６ビットで表現した画像データに基づいて表示を行う表示装置２０を用いている。この種の低階調パネルでは、輝度ムラの検出結果に基づいて単純に表示用画像データの階調を調節するだけでは、輝度ムラを適切に補正できない場合がある。これは、輝度ムラとして認識される輝度値のずれの最小値は、６ビット階調のパネルなら表示用画像データにおける１階調分に相当する輝度値未満であるため、例えば暗い輝度ムラを補正しようとしてデータを１階調上げるように補正すると、補正量が大きくなりすぎて明るい輝度ムラとして視認されてしまったり、逆に明るい輝度ムラを補正しようとしてデータを１階調下げるように補正すると暗い輝度ムラとして視認されてしまったりするためである。
【００６２】
そこで、適正輝度値に対する輝度のずれが画像データの１階調分に相当する輝度値未満であってもこの輝度のずれに起因する輝度ムラが視認されにくくするような、画像データの補正方法をとる必要がある。
【００６３】
図５は、このような補正方法をとるための、表示ムラ解析方法を説明するための説明図である。より具体的には、図５は、各画素に対して階調値９，１０，１１の検査用画像データをそれぞれ表示させ、これら各階調値に応じた画像を表示した状態の表示パネル２１を撮像した撮像データに基づいて抽出した各ライン画素群の輝度値、およびパネル輝度の平均値を示すグラフである。なお、図５では、図４と同様の処理を施し、バックライトに起因する輝度ムラ等の緩やかに変化する輝度ムラの影響を除去した後の各ライン画素群の輝度値を示している。
【００６４】
輝度ムラ検出部１５は、撮像データから抽出した輝度データにおける適正輝度値に対する輝度値の差（輝度ムラ量）の絶対値が所定の閾値以上である部分を輝度ムラとして検出する。具体的には、上記差が正の値であって絶対値が閾値以上である部分を明るいムラとして検出し、上記差が負の値であって絶対値が閾値以上である部分を暗いムラとして検出する。図５の例では、Ｃ１，Ｃ２で示した部分が明るい輝度ムラとして検出され、Ｄ１，Ｄ２で示した部分が暗い輝度ムラとして検出される。
【００６５】
次に、輝度ムラ検出部１５は、各輝度ムラ部分の値と適正輝度値との差を検出する。図５の例では、輝度ムラＣ１，Ｃ２，Ｄ１，Ｄ２について差ｃ１，ｃ２，ｄ１，ｄ２がそれぞれ検出される。
【００６６】
また、輝度ムラ検出部１５は、基準階調値よりも１階調高い画像データに対する適正部分の輝度値と基準階調値の画像データに対する適正部分の輝度値との差Ａ、および基準階調値の画像データに対する適正部分の輝度値と基準階調値よりも１階調低い画像データに対する適正部分の輝度値との差Ｂとを検出する。
【００６７】
そして、輝度ムラ検出部１５は、明るい輝度ムラＣ１，Ｃ２については当該輝度ムラについての上記差ｃ１，ｃ２と上記差Ｂとの比ｃ１／Ｂ，ｃ２／Ｂをそれぞれ算出し、暗い輝度ムラＤ１，Ｄ２については当該輝度ムラについての上記差ｄ１，ｄ２と上記差Ａとの比ｄ１／Ａ，ｄ２／Ａをそれぞれ算出する。
【００６８】
これらの算出結果に基づき、適切な画像データ補正方法が決定されることになる。
【００６９】
明るい輝度ムラについての上記比（ｃ１／Ｂ、ｃ２／Ｂ、など）が１以下の場合は、明るい輝度ムラに対応するライン画素群に属する画素のうち当該輝度ムラについての上記比に応じた割合の画素（調整補正画素）に対する表示用画像データを１階調低くするような画像データ補正を行うことにより、ムラを視認されにくくすることができる。
【００７０】
また、上記比（ｃ１／Ｂ、ｃ２／Ｂ、など）が１を超える場合、明るい輝度ムラに対応するライン画素群に属する画素に対する表示用画像データを上記比の整数部分に応じた階調値だけ一律低くすると同時に、上記比の小数部分に応じた割合の画素（調整補正画素）に対する表示用画像データをさらに１階調低くするような画像データ補正を行うことにより、ムラを視認されにくくすることができる。
【００７１】
ただし、上記比（ｃ１／Ｂ、ｃ２／Ｂ、など）に基づいて実際に各ライン画素群に対して個別に補正しようとすると、全ライン画素群の上記比の値が補正の際に必要となるため、これを格納するべきメモリの容量が大きくなり、また補正演算も複雑となるおそれがある。そこで本実施形態では、上記のようにムラの比（ｃ１／Ｂ、ｃ２／Ｂ、など）の値に直接基づいて補正を行うのではなく、より好ましい方法として、各ライン画素群に対して、上記比（ｃ１／Ｂ、ｃ２／Ｂ、など）の値に基づき、ムラ強度による段階分けを行う方法を用いる。これを、図６を用いて説明する。
【００７２】
図６は、明るい輝度ムラが生じている位置と当該各輝度ムラについての上記比の値との関係の一例を示すグラフである。
【００７３】
このように、本実施形態は、輝度ムラ解析結果から補正方法を決定するにあたり、各ライン画素群における輝度ムラの強度を、適宜いくつかの段階に分類することを特徴としている。図６の例では４段階に分類しており、例えば上記比（ｃ１／Ｂ、ｃ２／Ｂ、など）の値が０〜０．５０の間に分布している場合、上記比率が０．１０以上０．２０未満のライン画素群をムラ強度１、０．２０以上０．３０未満のライン画素群をムラ強度２、０．３０以上０．４０未満のライン画素群をムラ強度３、０．４０以上０．５０以下のライン画素群をムラ強度４と分類している。なお、上記比（ｃ１／Ｂ、ｃ２／Ｂ、など）の値が０．１０未満に関しては、ムラがほとんど目立たないため、ここでは無視している。
【００７４】
そして、各ムラ強度に対して、これを補正する補正方法を決定し、割り当てる。図６の例では、ムラ強度１に分類されるライン画素群の上記比（ｃ１／Ｂ、ｃ２／Ｂ、など）は０．１０以上０．２０未満であるため、中間値である０．１５を、ムラ強度１の代表比率値とする。同様に、ムラ強度２，３，４の代表比率値をそれぞれ、０．２５，０．３５，０．４５とする。この代表比率値は、各段階の中央付近の値で、かつ分数表記したときに分子と分母の比がなるべく単純な整数比になるように（分子と分母の値があまり大きくならないように）、適宜決めればよい。例えば、ムラ強度１，２，３，４に対する各代表比率の値として上記の値の代わりに、それぞれ、１／７（＝〜０．１４），１／４（＝０．２５），１／３（＝〜０．３３），１／２（＝０．５０）の値を用いることもできる。
【００７５】
そして、これら代表比率値を用いて、各ライン画素群への補正を行えばよい。すなわち、例えばムラ強度１，２，３，４に対する各代表比率の値として１／７，１／４，１／３，１／２の値を用いる場合には、ムラ強度１に分類されるライン画素群については、代表比率値１／７に基づいて、７画素に１画素の割合で１階調、画像データの階調を下げる補正を行う。ムラ強度２，３，４についてもそれぞれ、４画素に１画素、３画素に１画素、２画素に１画素の各割合で、画像データの階調を１階調下げる補正を行う。
【００７６】
図７は、ムラ強度２にあたる輝度ムラのライン画素群の画素に対して、補正が行われる画素位置の例を示す説明図であり、当該ライン画素群に含まれる画素に対し、４画素に１画素の割合で、表示すべき画像データの階調を１画素下げる補正を画像データに対して行う。
【００７７】
図７では、ソースラインの画素のうち、紙面一番上（図面上下方向における一番上の画素）の画素が補正画素となっており、以下、４画素ごとに補正画素が配置されている。ただし、必ずしもこの通りである必要はなく、補正画素の割合が４画素に１画素であることが重要であり、上から２画素目から順に４画素ごとを補正画素としてもよいし、３画素目から、あるいは４画素目からでもよい。より好ましくは、上から何画素目を最初の補正画素とするか（オフセット量）は、表示画面のスキャンごとに変更されることが好ましい。これにより、特定の画素が補正されるのではなく、補正画素が時間的に分散され、ソースライン全体が１／４階調分の補正を受けて、よりムラを視認させにくくする補正を行うことができる。
【００７８】
適正輝度値に対する差（適正輝度値からのずれ）が大きい輝度ムラ領域については、表示用画像データを１階調補正する画素の割合は大きくなる、つまり、表示用画像データを１階調補正する画素が密になる。一方、適正輝度値に対する差が比較的小さい輝度ムラ領域については、表示用画像データを１階調補正する画素の割合は小さくなる、つまり、表示用画像データを１階調補正する画素が疎になる。
【００７９】
このような補正を画像データに対して行うことにより、表示ムラによる輝度変調を相殺することができるため、表示ムラを視認されにくくすることができる。
【００８０】
なお、各ムラ強度段階の代表比率値が、上記の例ではいずれも０．５以下であったが、０．５を超える場合にも同様の補正を行うことができる。例えば、あるムラ強度段階の代表比率値が３／５と設定される場合は、そのムラ強度段階に属するライン画素群については、５画素中３画素に対して画像データを１階調下げればよい。
【００８１】
また、あるムラ強度段階の代表比率値が１を超える場合、そのムラ強度段階に属するライン画素群については、上記代表比率値の整数部分に応じた階調値だけ、そのライン画素群の画素に対応する表示画像データを一律低くすると同時に、上記代表比率値の小数部分に応じた割合の画素に対し、さらに対応する表示画像データの階調を１階調低くすればよい。例えば、代表比率値が４／３であるムラ強度段階に属するライン画素群については、そのライン画素群の画素に対応する表示画像データを、３画素に１画素、２階調低くするとともに、残りの画素は１階調低くすればよい。
【００８２】
あるいは、あるムラ強度段階の代表比率値が１を超える場合の補正方法としては、次の方法としてもよい。すなわち、上記比を除算した場合の除算結果が１以下となる２以上の数ｎで上記比を除算し、この除算結果に応じた割合の画素（調整補正画素）に対する表示用画像データをｎ階調低くするような補正を行ってもよい。例えば、ある輝度ムラ強度段階の代表比率地が１．２５（＝５／４）である場合、ｎ＝２で除算した値（５／４÷２＝５／８）を算出し、この除算結果に応じて８画素に５画素の割合で２階調下げる補正を行うこともできる。
【００８３】
以上において、明るい輝度ムラに対する補正方法を述べたが、暗い輝度ムラに対する補正も同様に行うことができる。すなわち、図５を用いて説明したように、暗い輝度ムラに関しても、ｄ１、ｄ２・・・とＡとの比の値ｄ１／Ａ、ｄ２／Ａ・・・の値に基づいて、各ライン画素群に含まれる画素に対し、この比率の画素の表示画像データを１階調上げることで輝度ムラを目立たせなくすることもできる。しかしながら、より好ましい実施形態として、暗い輝度ムラについても、ムラ強度による段階分けを行う方法をとることができる。
【００８４】
すなわち、図６と同様の方法により、各ライン画素群の上記比（ｄ１／Ａ、ｄ２／Ａ、など）を、４段階程度の適当な段階に分類する。そして、各段階に対し、代表比率値を設定し、この代表比率値を用いて表示画像データの補正を行う。具体的には、上記で説明した明るいムラに対する補正方法に基づいて行えばよい。すなわち、各段階の代表比率値は、その段階の中間的な値で、分子と分母が単純な整数比になるような値を設定すればよく、その段階に属するライン画素群に対応する表示画像データに対して、この代表比率値に相当する比率の画素のデータを１階調上げればよい。特に、あるムラ段階の代表比率値が１を超える場合には、上記代表比率値の整数部分に応じた階調値だけ、そのライン画素群の画素に対応する表示画像データを一律高くすると同時に、上記代表比率値の小数部分に応じた割合の画素に対し、さらに対応する表示画像データの階調を１階調高くしてもよい。あるいは、上記比を除算した場合の除算結果が１以下となる２以上の数ｎで上記比を除算し、この除算結果に応じた割合の画素（調整補正画素）に対する表示用画像データをｎ階調高くするような補正を行ってもよい。
【００８５】
このように本実施形態では、ライン画素群ごとの輝度ムラを解析した値そのものに基づいて補正するのではなく、輝度ムラに応じたグループ分けを行い、その各グループに設定される代表比率値に基づいて補正を行うことにより、補正方法を記述する補正データのデータ量を小さくすることができる。グループ分けする段階数が多いほど、輝度ムラを解析したｃｉ／Ｂあるいはｄｊ／Ａの値に近い補正を与えることができるが、補正データのサイズもその分、大きくなる。一方、グループ分けする段階数が少なければ、あるムラ強度段階に割り当てられるｃｉ／Ｂやｄｊ／Ａの数値の幅が大きくなり、この幅に含まれるムラのライン画素群すべてが、同じ代表比率値に基づいて補正されることになるため、荒い近似となるが、補正データのサイズは小さくできる。
【００８６】
そこで、実際の液晶パネルを用いて検討した結果、明るいムラ、暗いムラ共に、４段階のグループ分けで、輝度ムラを十分に視認されにくく補正できることが確認された。補正方法を記述する補正データは、各ライン画素群がどのムラ強度段階に属しているかを記述していればよいのであるから、４段階ならば２ビットでこれを表現することができる。それゆえ、ｃｉ／Ｂやｄｊ／Ａの値そのものをデータ化するよりも、大幅にデータ量を削減することができる。
【００８７】
さらに、上記の輝度ムラの検出方法の説明において、図３に示される移動平均値の算出は、１ｍｍ以上５ｍｍ以下の範囲の平均値をとることが好ましいことを述べたが、この範囲は、グループ分けを４段階という少ない段階数に設定することにおいても重要な意味を持つ。これを、図８を用いて説明する。
【００８８】
図８は、ある液晶パネルにおいて単色単階調表示したときのライン状輝度ムラの分布の例であり、ラインに垂直方向の液晶パネル上の位置を横軸、その位置におけるライン画素群の輝度値を縦軸とし、実線で示している。また、その移動平均値を点線で示すとともに、全体の輝度平均を一点鎖線で示している。
【００８９】
かりに、本実施形態のように移動平均値をとらず、画面全体の輝度平均値（一点鎖線）を適正輝度値と設定した場合、この適正輝度値と実際の輝度値との差として分析されるムラ強度には、視認されやすい局所的な輝度ムラと、バックライトによるムラなどの、比較的広範囲にわたりなだらかで視認されにくいムラとの両方が含まれることになる。また、広範囲にわたるなだらかムラは、人間の目には視認されにくいが、輝度値の位置依存性はしばしば大きなものとなる。
【００９０】
図８の例では、紙面左側の輝度が全体的に暗く、紙面右側に向かって輝度が上昇していく傾向が見られる。そして、そこに、輝度が細かく波打って上下しているのが見られる。ここで、人間の肉眼に視認されやすいムラは後者、輝度の細かい上下の方である。つまり、画面全体の輝度平均値（一点鎖線）を適正輝度値として輝度ムラ強度を検出した場合、そのムラ強度値には、視認されにくい広範囲のムラの寄与が大きくなり、視認されやすい局所的なムラの寄与が相対的に小さくなってしまうことになる。そして、図６の方法により適当な段階に分けてグループ化する場合、次のような問題が発生する。
【００９１】
図６の方法は、ライン画素群のもつ輝度ムラの値を適当な幅をもって段階分けし、その輝度ムラ段階に含まれるライン画素群には、近似的に同じ補正を行うものである。従って、近接するライン画素群どうしの間に輝度の差が存在し、ライン状輝度ムラとして視認されていても、これらがすべて同じ輝度ムラ段階に分類されていたのでは、同じ補正が与えられることになる。そのため、ライン画素同士の輝度差を小さくすることが殆どできず、視認される輝度ムラが残ってしまうことになる。これを防ぎ、局所ムラを打ち消すような補正を行うためには、より細かい段階分けが必要となり、結果的に、補正方法を記述するための補正データのデータサイズが大きなものとなってしまう。
【００９２】
一方、本実施形態では、図８の点線で示される移動平均値を適正輝度値として用い、この値と実際の輝度との差を輝度ムラ強度としている。すなわち、液晶パネルに対してまず目標輝度値を設定するのではなく、実際に取得された輝度値に基づき、その移動平均値を適正輝度値として定義する方法を採っていることが特徴である。図８に示すように、適正輝度値も位置による分布を持っており、主に、広範囲にわたるなだらかなムラの分布を反映している。この適正輝度値と実際の輝度とを比較し差分を取ることにより、視認されやすい局所的なムラを効果的に検出することができる。そして、視認されやすいムラを効果的に検出できているがゆえに、図６のような段階分けを行い近似的な補正を与えたとしても、輝度分布を図８の点線で示したような、なだらかな分布に近づけることができ、その結果、少ない補正データ量で視認されやすい局所ムラを効果的に補正し目立たせなくすることができる。
【００９３】
移動平均を取るパネル上の幅は、上述したように、１ｍｍ以上５ｍｍ以下とすることが好ましい。例えば、移動平均を取るパネル上の幅を３ｍｍで計算した本実施形態では、図６のような輝度ムラによる段階分けを、明るいムラ、暗いムラそれぞれ、４段階という少ない段階数に分けたとしても、局所ムラが視認されにくくなるように効果的に補正を行うことができる。
【００９４】
一方、移動平均を取る幅が１ｍｍ未満では、点線で示した移動平均による適正輝度値の分布に、局所的なムラが影響してしまい、この適正輝度値に近づけるように補正したとしても、視認されるムラが残ってしまうおそれがある。
【００９５】
また、移動平均を取るパネル上の幅が５ｍｍより大きいと、図８を用いて説明したように、全体の平均値を基準にした場合と同様の問題が発生するおそれがある。すなわち、適正輝度値に広範囲の輝度が反映され、分布が均され過ぎるために、適正輝度値と実際の輝度値との差分として検出されるムラ強度の値に、ムラとして視認されにくいような広範囲の輝度分布が反映され、視認されやすい局所ムラの寄与が相対的に減少してしまう。
【００９６】
このような理由により、図６のような段階分けを細かく設定しなければ、視認されるムラを効果的に補正できなくなり、補正データ量の増加につながる。つまり、視認されるムラを効果的に検出して補正すると同時に視認されにくいムラは検出せず補正しない方法が好ましく、この点からも、移動平均を１ｍｍ以上５ｍｍ以下の幅で取り、これを適正輝度値とすることが好ましい。
【００９７】
なお、上記では、各輝度ムラ段階の代表比率値と調整補正画素の割合とを同値にする例を説明した。しかしながら、これに限らず、例えば代表比率値に予め定められた補正係数を乗じた値に基づいて調整補正画素の割合が設定されてもよい。
【００９８】
また、上記補正係数は、表示画像データの階調値に応じて設定されてもよい。例えば、上述したように、輝度ムラは、中間調において視認されやすく、黒および白に近い表示の場合には視認されにくい。従って、中間調における上記補正係数は、黒および白に近い階調における上記補正係数よりも大きく設定されてもよい。
【００９９】
上記グループ分けを明るい輝度ムラに対して行う際、補正データ生成部１６は、撮像データから抽出した輝度データにおける各画素（あるいは各画素を複数の画素毎にまとめた各画素群）の輝度値と当該各画素（あるいは当該各画素群）の適正輝度値との差である輝度ムラ量を各画素（あるいは各画素群）について算出し、この輝度ムラ量のばらつき値（輝度ムラ量の標準偏差）を算出し、算出した輝度ムラ量のばらつき値を基準階調値の画像データに対する適正輝度値と基準階調値よりも１階調低い画像データに対する適正輝度値との差Ｂで除算することによって階調換算した輝度ムラ量のばらつき値（階調換算した輝度ムラ量の標準偏差）σに基づいて各輝度ムラ領域のグループ分けを行う。
【０１００】
具体的には、基準階調値の検査用画像データに応じた画像を表示させた表示画面を撮像して得られる撮像データから抽出された各輝度ムラ領域の輝度値と当該検査用画像データに対応する適正輝度値との差ｃｉ、基準階調値の画像データに対する適正輝度値と基準階調値よりも１階調低い画像データに対する適正輝度値との差Ｂ、および階調換算した上記輝度ムラ量のばらつき値σに基づいてグループ分けを行う。例えば、グループ分けを下記のように行う。
グループ分けの例（１）
補正強度１  ｃｉ／Ｂが０．４σ以上０．８σ未満
補正強度２  ｃｉ／Ｂが０．８σ以上１．２σ未満
補正強度３  ｃｉ／Ｂが１．２σ以上１．６σ未満
補正強度４  ｃｉ／Ｂが１．６σ以上
表示パネルのスジ状の輝度ムラは、表示パネル毎に大きく異なる。すなわち、輝度ムラの程度が大きい表示パネル（すなわち輝度ムラが目立つパネル）は上記σが大きくなり、輝度ムラの程度が小さな表示パネル（すなわち輝度ムラが認識されにくいパネル）は上記σが小さくなる。したがって、上記σはスジ状の輝度ムラの有無の判断にも使用できる。すなわち、上記σが所定値以下ならスジ状の輝度ムラは無いと判断できる。
【０１０１】
上記のように階調換算した時の輝度ムラ量のばらつき値であるσを基準にグループ分け（例えば５種類程度のグループにグループ分け）を行うことにより、輝度ムラの程度の大きなパネルと輝度ムラの程度の小さなパネルの両方とも良好にグループ分けを行うことができる。
【０１０２】
図６は、上記のように算出した、階調換算した時の輝度ムラ量のばらつき値であるσが０．２５であった表示パネルのグループ分けの例を示している。補正強度１の領域は０．４σ以上０．８σ未満であるため、上記比が０．１０以上０．２０未満の輝度ムラ領域が補正強度１に分類される。同様に、上記比が０．２０以上０．３０未満の輝度ムラ領域が補正強度２、上記比が０．３０以上０．４０未満の輝度ムラ領域が補正強度３、上記比が０．４０以上の輝度ムラ領域が補正強度４に分類される。
【０１０３】
そして、補正強度１の輝度ムラ領域については、その代表比率値を、そのグループの中央値である０．１５とし、２０画素に３画素の割合で階調を１階調下げる補正を行ってもよい。しかしながら、中央値である０．１５に近い値で、かつ比較的小さい整数の比で表される、１／７を代表比率値としてもよく、この場合は７画素に１画素の割合で階調値を１階調下げる補正を行えばよい。例えば、図６に示したｃｋに対応する位置では、ｃｋ／Ｂの値が０．１２であることから、補正強度１に分類され、７画素に１画素の割合で階調値を１階調下げる補正を行う。
【０１０４】
補正強度２、３、４に関しても同様に、その代表比率値を、グループの中央値である０．２５、０．３５、０．４５とし、この比率、すなわち、２０画素に５画素、７画素、９画素の割合で１階調下げる補正を行ってもよい。あるいは、その近似値であり、かつ比較的小さい整数の比で表わされる、１／４、１／３、１／２を代表比率値とし、それぞれ、４画素に１画素、３画素に１画素、２画素に１画素の割合で１階調下げる補正を行ってもよい。例えば、ｃｌに対応する位置は、ｃｌ／Ｂの値が０．２９であり補正強度２に分類されるため、その代表比率値に基づき３画素に１画素の割合で階調値を１階調下げる補正を行う。ｃｍに対応する位置は、ｃｍ／Ｂの値が０．４２であり補正強度４に分類されるため、その代表比率値に基づき２画素に１画素の割合で階調値を１階調下げる補正を行う。ｃｎに対応する位置では、ｃｎ／Ｂの値が０．３７であることから、補正強度３に分類され、３画素に１画素の割合で階調値を１階調下げる補正を行う。
【０１０５】
このように、ある範囲に含まれるｃｉ／Ｂ値のライン画素群に対しては、同一の割合で画素に補正を行うことになり、実際のｃｉ／Ｂ値とは異なる近似的な割合の画素が補正されることになる。しかしながら、上述したように、移動平均法によるムラの検出方法を採っているため、視認されやすいムラを効果的に抽出できる。それゆえ、このような近似的な方法によっても、ムラを目立たなくすることが可能となる。
【０１０６】
上記のように、輝度ムラ領域をグループ分けすることにより、補正方法を記述し、液晶内の補正回路に補正方法を指示する補正データも、少ない容量とすることができる。これは、同じグループの輝度ムラ領域には同じ補正データが適用できるため、補正データの種類を減らすことができることによる。したがって、表示装置２０の駆動制御部２２に備えられる補正データ記憶部３１に記憶させるための補正データの容量を低減することができる。
【０１０７】
このように、上記補正データは、例えば、輝度ムラに対応するソースライン（補正領域の位置情報）と、当該ソースラインについてのグループ情報とからなる。
【０１０８】
なお、上記の説明では、補正データ生成部１６が、検出された輝度ムラ領域内の画素のみを補正対象としているが、これに限らず、輝度ムラ領域とその周辺領域（例えば輝度ムラ領域から数画素あるいは数ｍｍ程度の範囲）とを含む領域の画素を補正対象としてもよい。すなわち、輝度ムラ領域を補正領域としてもよく、輝度ムラ領域とその周辺領域とを含む領域を補正領域としてもよい。このように、周辺領域を補正領域に含めることにより、輝度ムラ領域の輪郭をぼかして輝度ムラ領域をより視認されにくくすることができる。
【０１０９】
また、必ずしも検出された全ての輝度ムラ領域を補正する必要はなく、検出された輝度ムラ領域のうちの一部の輝度ムラ領域のみを補正するようにしてもよい。例えば、輝度ムラ領域のサイズや適正輝度値からのずれの程度などに応じて視認されやすい輝度ムラ領域のみを抽出して補正するようにしてもよい。
【０１１０】
また、補正データ生成部１６は、上記の補正データの作成を、Ｒ（Ｒｅｄ），Ｇ（Ｇｒｅｅｎ），Ｂ（Ｂｌｕｅ）の各副画素についてそれぞれ算出してもよいが、特に好ましい形態として、Ｒ，Ｇ，Ｂのうちの１色（例えばＧ）についての補正データを生成し、それを他の色について共用してもよい。スジ状の輝度ムラは所定範囲の領域内において連続的に発生する場合が多いので、Ｒ，Ｇ，Ｂのうちの１色について生成した補正データを、両隣の他の色の副画素に適用しても、Ｒ，Ｇ，Ｂの各色についてそれぞれ補正データを個別に生成する場合と比較して画質の程度はほとんど変わらない。また、Ｒ，Ｇ，Ｂの各色について共通の補正データを用いることにより、これら各色について個別の補正データを生成する場合に比べて、後述する表示装置２０に備えられる補正データを格納するための補正データ記憶部３１に要求される記憶容量を低減できる。
【０１１１】
ここで、補正データの記述方法について説明する。
【０１１２】
上述のように、本実施形態では、ムラの強度そのものの値を用いて補正するのではなく、ムラ強度によっていくつかの段階に分類し、その段階に属するムラ領域には同じ補正方法を用いるため、どのムラ領域にどの補正強度を与えるかが情報化されていればよい。補正強度が４段階であれば、２ビットでこれを表現できることになる。例えば補正強度１を［００］、補正強度２を［０１］、補正強度３を［１０］、補正強度４を［１１］などと記述することができる。
【０１１３】
従って、これを用いて、例えば次のような記述方法をとることができる。パネル上の一方の端から順にパネル上の画素位置に従い、（ａ）補正を行うか否か（補正要否情報）、（ｂ）暗いムラの補正か明るいムラの補正か（補正階調情報）、及び、（ｃ）どの補正強度グループか、について記述していく。暗いムラの補正か明るいムラの補正かの一方しか行わない場合は、（ｂ）に係る情報は省略することもできる。
【０１１４】
例えば、（ａ）補正を行うか否か、については、「補正を行わない」＝［０］、「補正を行う」＝［１］と定義する。このビットが［０］の場合は、次のビットを、次のライン画素群についての（ａ）補正を行うか否かの情報ビットと見なす。また［１］の場合は、次のビットで、（ｂ）暗いムラの補正か明るいムラの補正か、を指定する。ここでは、「暗いムラの補正」＝［０］、明るいムラの補正＝［１］と定義しておく。そして、さらに引き続く２ビットでは、（ｃ）どの補正強度グループか、が指定され、続くビットは次のライン画素群の（ａ）補正を行うか否か、の情報ビットと見なす。以上の補正データ記述の流れは、図１０に示す通りである。
【０１１５】
次に、このデータ記述方法に従って、図９のようにムラが分布している場合を考えてみる。図９は、補正情報の生成方法を説明するための説明図である。
【０１１６】
まず、最初のｃ１は補正しないため、補正データの最初のビットを［０］とする。次のビットは、ｃ２の補正有無の情報であり、３ビット目も［０］とする。さらに、ｃ３も補正しないため、３ビット目も［０］とする。続くｃ４は、明るいムラの補正を行い、かつ補正強度１であるため、［１］（補正あり）、［１］（明るいムラの補正）、［００］（補正強度１）となり、結果、［１１００］という４ビットで表現される。続くライン画素群ｃ５は、明るいムラの補正であり補正強度２であるため、上記と同様にして、［１１０１］という４ビットで表現される。続くｃ６、ｃ７は、明るいムラの補正であり、それぞれ補正強度４、補正強度３であるため、［１１１１］［１１１０］という４ビットで表現される。ｃ８は、補正なしのため、［０］という１ビットのみで表現される。続くｃ９、ｃ１０、ｃ１１は、暗いムラの補正であって、それぞれ補正強度２、補正強度２、補正強度１であるため、［１００１］［１００１］［１０００］と記述される。その結果、ｃ１からｃ１１までの補正方法は、［０００１１００１１０１１１１１１１１００１００１１００１１０００］と３２ビットで記述される。
【０１１７】
上記方法では、補正しないライン画素群を１ビット、補正するライン画素群を４ビットで表現できるため、例えばライン画素群の数が３６０で、うち半数の１８０のライン画素群に補正を与える場合、９００ビットという少ないデータ量による記述が可能となる。なお、この補正データは、後述する表示装置２０の補正データ記憶部３１に格納される。
【０１１８】
また、この例では、補正強度１，２，３，４がそれぞれ、７画素に１画素、４画素に１画素、３画素に１画素、２画素に１画素の割合で補正を行うことに相当している。この補正強度と比率の対応関係を表すテーブルが必要となるが、このテーブルについては、補正データ記憶部３１の別の領域に格納しておいてもよいし、別途、表示装置２０の駆動回路内にＲＯＭを設け、ここに情報を格納しておいてもよい。特にこの例のように、明るいムラと暗いムラで補正段階の区切り方を同じとし、同じ補正強度に対して同じ代表比率値を与えれば（例えば、明るいムラ、暗いムラともに、補正強度２では４画素中１画素の割合で補正する）、補正の比率に関する情報量を削減することができる。
【０１１９】
また、各ライン画素群に対する補正データの記述方法としては、以下の方法を採ることもでき、さらにデータ量を削減できる。
【０１２０】
すなわち、図９の例で、ｃ４からｃ７のように明るいムラが連続する場合や、ｃ９からｃ１１のように暗いムラが連続する場合において、（ｂ）暗いムラの補正か明るいムラの補正か、の指定を、最初のライン画素群（ｃ４やｃ９）でのみ指定し、続くライン画素群はこの指定を参照するようにする。この方法で図９の補正方法を記述すると、ｃ１からｃ３は上記例同様［０］［０］［０］、ｃ４も上記例同様［１１００］となるが、ｃ５、ｃ６、ｃ７は、ｃ４の２ビット目の［１］を参照することで、（ａ）と（ｃ）の情報のみを記述すればよく、すなわち、［１０１］［１１１］［１１０］と記述される。（ａ）が［０］（補正無し）であるライン画素群が現れるまで、ｃ４の２ビット目の情報は保存され、続くライン画素群に適用されていく。と同時に、（ａ）情報に続く２ビットは（ｃ）情報となる（（ｂ）情報の記述が省略される）。続いて、ｃ８が無補正［０］であるため、ここでｃ４の２ビット目の情報［１］はリセットされる。続くビットはｃ９の（ａ）補正を行うか否か、についての情報と見なされ、図９の例の場合は補正有りであり［１］となる。引き続く１ビットは、（ｂ）暗いムラの補正か明るいムラの補正か、であり、暗いムラなので［０］となり、さらに続く２ビットで補正強度（ｃ）を記述（補正強度２なので［０１］）となり、ｃ９の補正情報は［１００１］と記述される。続くｃ１０、ｃ１１も、暗いムラの補正が続くため、ｃ９の（ｂ）情報がこれらにも割り当てられ、（ａ）と（ｃ）情報のみを記述すればよいため、各々［１０１］（補正強度２）、［１００］（補正強度１）と記述される。（ａ）情報が［０］、すなわち無補正のライン画素群が現れるまで、各ライン画素群の補正方法が３ビット単位で記述されていく。
【０１２１】
以上のデータ記述の流れは、図１１に示す通りである。なお、図１１は、補正データとして記述する方法を説明するためのフロ−チャートである。
【０１２２】
この方法によれば、図９のｃ１からｃ１１までの補正データは、［０００１１００１０１１１１１１００１００１１０１１００］と、２７ビットで記述することができ、補正データとして記述する方法を説明するためのフロ−チャートを示す図１０の方法よりもデータ量を削減できる。この方法では、補正ありのライン画素群が連続する場合、その最初のライン画素群でのみ（ｂ）情報（暗いムラの補正か明るいムラの補正か）を記述し、残りのライン画素群には同じ（ｂ）情報を適用することで、（ｂ）情報の記述を省略し、データ量の削減を行っている。このため、補正ありのライン画素群が連続する限り、同じ（ｂ）情報となってしまうため、暗いムラの補正を行うライン画素群と、明るいムラの補正を行うライン画素群が隣り合う場合には、補正データを記述できなくなる。このため、明るいムラと暗いムラが近接する場合には、その境界部に必ず無補正のライン画素群を挿入し、ここで（ｂ）情報をリセットするようにすればよい。
【０１２３】
なお、図９の例では、明るいムラｃ４〜ｃ７と暗いムラｃ９〜ｃ１１の間との間に無補正のｃ８が存在するため、図１１のデータ記述方法が可能であった。しかしながら、ムラ強度解析を行った結果、ｃ８／Ｂが０．１０から０．２０の間に含まれ、補正強度１に分類されているような場合には、ｃ８〜ｃ９において明るいムラの補正と暗いムラの補正とが隣接してしまい、図１１の方法でデータ記述ができなくなる。このような場合は、ｃ８とｃ９とを比較し、ムラ強度の低い方を無補正に変更すればよい。実際、ムラが視認されやすいのは、おもに、輝度ムラのピーク位置（図９ではｃ６やｃ１０）の付近であり、輝度明暗の境界部において上記のような変更を行ったとしても、ムラ補正の効果にほとんど影響は認められない。このため、このような場合にも図１１の方法が可能となる。
【０１２４】
また、さらに、データ記述方法として次の方法も採ることができる。
【０１２５】
この方法は、（ａ）が［１］（補正あり）の場合は、図１０ないし図１１の方法に従って記述するが、（ａ）が［０］（補正なし）の場合、続く数ビットを用いて、（ｄ）無補正のライン画素群がいくつ続くか、を記述する（無補正情報）。例えば、補正データとして記述する方法を説明するためのフロ−チャートである図１２は、図１１に対し上記方法を適用し、（ｄ）情報を４ビットで表現したものである（ここでの例は、無補正ライン画素群の連続数から１引いた値を２進数表記しており、最大１６まで表現される）。
【０１２６】
上記方法に従って図９の補正を記述する場合、ｃ１〜ｃ３の情報は、補正なし［０］に続いて、無補正の数で示され、この例では３つの無補正ライン画素群が続いているので、［００１０］と表現されるので、結局［０００１０］となる。またｃ８は、無補正ライン画素群が連続していないため、［０］［００００］となる。その結果、図１１の方法を本方法に変えた場合、ｃ１〜ｃ１１の記述は［０００１０１１００１０１１１１１１００００００１００１１０１１００］となり、３３ビットとなる。
【０１２７】
この図１２の方法は、特に、表示画面において、無補正のライン画素群の連続が多い場合に、非常に効果的なデータ削減方法となる。例えば、補正強度によるグループ分けを下記のように行う場合を考える。
グループ分けの例（２）
補正強度１  ｃｉ／Ｂないしｄｉ／Ａが１．０σ以上１．４σ未満
補正強度２  ｃｉ／Ｂないしｄｉ／Ａが１．４σ以上１．８σ未満
補正強度３  ｃｉ／Ｂないしｄｉ／Ａが１．８σ以上２．２σ未満
補正強度４  ｃｉ／Ｂないしｄｉ／Ａが２．２σ以上
上記グループ分けは、グループ分けの例（１）よりも、グループ分けの段階が高い値で設定されており、ｃｉ／Ｂないしｄｉ／Ａが１．０σ未満のムラはすべて無補正として補正を行わない。そのため、グループ分けの例（２）の方が、グループ分けの例（１）よりも、段階分けを高い値で設定している分、補正強度１から４に含まれるライン画素群の数が減り、無補正のライン画素群の数が増えるため、補正データの容量が小さくなる傾向がある。
【０１２８】
ただし、特に、このグループ分けの例（２）のように段階分けを高い値に設定した場合には、無補正ライン画素群が連続する頻度が高くなり、図１２の方法によるデータ削減の効果が顕著なものとなる。実際に、３６０本のソースラインを持つ液晶パネル４枚（パネル１〜パネル４）に対し、このソースラインをライン画素群とみなし、ムラの解析とムラ補正データの作成を行った例を以下に示す。
パネル１の場合  無補正のライン＝２６７、補正するライン＝９３
補正データ量  図１０の方法＝６３９ビット、図１１の方法＝５７５ビット、図１２の方法＝４８８ビット
パネル２の場合  無補正のライン＝３１１、補正するライン＝４９
補正データ量  図１０の方法＝５０７ビット、図１１の方法＝４８３ビット、図１２の方法＝３４７ビット
パネル３の場合  無補正のライン＝２９９、補正するライン＝６１
補正データ量  図１０の方法＝５４３ビット、図１１の方法＝５１０ビット、図１２の方法＝４０１ビット
パネル４の場合  無補正のライン＝３２２、補正するライン＝３８
補正データ量  図１０の方法＝４７４ビット、図１１の方法＝４５１ビット、図１２の方法＝２６９ビット
以上のように、図１２の方法では、いずれも５００ビット以内という低容量でデータ記述が可能となっている。
【０１２９】
このように、少ないデータ容量により補正方法を記述することにより、表示装置に備えられる既存のメモリの空き領域を補正データ記憶部３１として用いることができる。
【０１３０】
図１３は、表示装置２０に備えられる駆動制御部２２の構成を示すブロック図である。この図に示すように、駆動制御部２２は、補正データ記憶部３１、復号部３２、空間分散処理部３３、時間分散処理部３４、加算処理部３５、第１ラッチ部３６、第２ラッチ部３７、およびＤ／Ａ変換部３８を備えている。なお、空間分散処理部３３、時間分散処理部３４、および加算処理部３５によって画像データ補正部が形成されている。
【０１３１】
補正データ記憶部３１は、表示装置２０の検査時に補正データ作成装置１０から入力される補正データを記憶する不揮発性のメモリである。なお、本実施形態では、補正データ記憶部３１に、補正データ作成装置１０によって記述された補正データを格納するようになっている。
【０１３２】
復号部３２は、表示装置２０において表示用画像データに応じた画像を表示パネル２１に表示させる際、補正データ記憶部３１に記憶されている補正データを読み出し、この補正データを復号して階調補正情報とし、空間分散処理部３３に出力する。
【０１３３】
空間分散処理部３３は、復号部３２から入力された階調補正情報に基づいて、輝度ムラ領域に対応する各ソースラインにおける調整補正画素の位置を設定し、この設定結果を示す階調補正情報を時間分散処理部３４に出力する。具体的には、ソースラインの端部から何画素目の画素を調整補正画素とするか（オフセット値）を決定するとともに、当該画素および当該画素から所定間隔毎の画素を調整補正画素として設定する。
【０１３４】
なお、隣接する複数のソースラインにまたがって輝度ムラが生じている場合には、これら各ソースラインにおける調整補正画素同士のソースラインの延伸方向についての位置を隣接するソースライン間で異ならせて分散させるように各調整補正画素の位置を設定してもよい。図１４は、この場合の調整補正画素の位置の一例を示す説明図である。
【０１３５】
時間分散処理部３４は、空間分散処理部３３から入力される補正情報に基づいて、各ソースラインにおける調整補正画素の位置を、所定期間毎（例えば１フレーム毎）に変更するように設定し、この設定結果を示す補正情報を加算処理部３５に出力する。図１は、時間分散処理部３４によって設定された調整補正画素の位置の一例を示す説明図である。この図に示す例では、時間分散処理部３４は、調整補正画素の割合（調整補正画素同士のピッチ）を一定に保ったままで調整補正画素の位置（オフセット値）を１フレーム毎にソースラインの延伸方向に変化させている。
【０１３６】
なお、空間分散処理部３３と時間分散処理部３４の順番は逆であってもよい。すなわち、復号部３２から時間分散処理部３４に階調補正情報が入力され、時間分散処理部３４から空間分散処理部３３に階調補正情報が入力される構成であってもよい。
【０１３７】
加算処理部３５は、表示装置２０に入力される表示用画像データに、時間分散処理部３４から入力される階調補正情報に基づく補正値を加算することにより表示用画像データを補正し、補正後の表示用画像データを第１ラッチ部３６に出力する。つまり、表示用画像データにおける各画素のうち、階調補正情報によって示される調整補正画素に対して、表示用画像データの階調値を少なくとも１階調変化させる（階調補正情報に応じて少なくとも１階調高くするか低くする）補正処理を行う。
【０１３８】
具体的には、上記比が１以下である輝度ムラ領域については調整補正画素の階調値を１階調変化させる一方、その他の画素については補正しない。また、上記比が１を超える輝度ムラ領域については、当該各画素の階調値を上記比の整数部分に応じた階調値だけ変化させるとともに、調整補正画素の階調値をさらに１階調変化させる。あるいは、上記比が１を超える輝度ムラ領域については、調整補正画素の階調値を上記ｎの値に応じた階調値だけ変化させる一方、その他の画素については補正しないようにしてもよい。
【０１３９】
第１ラッチ部３６は、加算処理部３５から出力された補正後の表示用画像データをクロック信号に基づいて生成されるサンプリングパルスに同期して順次サンプリングし、１ライン（１ゲートライン）分の画像データをラッチする。第２ラッチ部３７は、第１ラッチ部３６にラッチされた１ライン分の画像データを再ラッチする。
【０１４０】
Ｄ／Ａ変換部（デジタル／アナログ変換部）３８は、第２ラッチ部３７にラッチされた１ライン分の画像データをアナログ信号に変換し、表示パネル２１の各ソースラインに所定のタイミングで出力する。
【０１４１】
表示パネル２１は、多数のゲートライン（走査信号線）と多数のソースライン（データ信号線）とを備え、これらゲートラインおよびソースラインによって区画されて成るマトリクス状の各領域にそれぞれ画素が設けられている（いずれも図示せず）。
【０１４２】
各画素は、スイッチング用トランジスタと画素容量とからなり、画素容量は液晶容量と必要に応じて付加される補助容量とから構成されている（いずれも図示せず）。スイッチング用トランジスタは、ゲートがゲートラインに接続され、ソースがソースラインに接続され、ドレインが画素容量の一方の電極に接続されている。なお、画素容量の他方の電極は、全画素に共通の共通電極線に接続されている。
【０１４３】
これにより、ゲートドライバ（図示せず）によってゲートラインが選択されると、選択されたゲートラインに接続されている各画素のスイッチング用トランジスタが導通し、それと同期して駆動制御部２２のＤ／Ａ変換部３８から各ソースラインに印加された電圧が対応する画素容量に印加される。
【０１４４】
なお、ゲートラインの選択期間が終了して、スイッチング用トランジスタが遮断されている間、画素容量は該遮断時の電圧を保持し続ける。液晶の透過率または反射率は、液晶容量に印加される電圧によって変化するので、ゲートラインを選択し、ソースラインに画像データに応じた電圧を印加することで、画素の表示状態を画像データに合わせて変化させることができる。
【０１４５】
以上のように、本実施形態にかかる補正データ作成装置１０は、表示パネル２１の全画素に同一階調の検査用画像データに応じた画像を表示させてその表示画面を撮像し、撮像データから輝度データを抽出し、抽出した輝度データからスジ状の輝度ムラを抽出する。そして、各輝度ムラ領域の位置情報と、各輝度ムラ領域の輝度ムラ量のばらつき値を元にこれら各輝度ムラ領域をグループ分けしたグループ情報とを含む補正データを生成して表示装置２０に備えられる補正データ記憶部３１に記憶させる。
【０１４６】
そして、表示装置２０は、表示用画像データに応じた画像を表示パネル２１に表示させる際、補正データ記憶部３１に記憶されている補正データにおける各輝度ムラ領域の位置情報とグループ情報とに基づいて輝度ムラの補正を行う。
【０１４７】
このように、各輝度ムラ領域をグループ分けすることにより、補正データの容量を低減できるので、補正データ記憶部３１の容量が小さい場合であっても補正データを適切に記憶することができる。
【０１４８】
図１５は、補正処理を行っていない検査用画像データに応じた画像を表示させた状態の表示パネル２１を撮像した撮像データから得られた輝度データと、補正処理を施した検査用画像データに応じた画像を表示させた表示パネル２１を撮像した撮像データから得られた輝度データの輝度データとを示すグラフである。なお、横軸は各ライン画素群の位置を示しており、縦軸は各ライン画素群の輝度値（上記各ライン画素群に属する画素の輝度値の平均値）を示している。これらのグラフからも明らかなように、本実施形態にかかる補正方法により、スジ状の輝度ムラが視認されないように画像データを補正することができる。
【０１４９】
また、本実施形態では、調整補正画素の位置を１フレーム毎に変化させる。つまり、調整補正画素の位置を輝度ムラ領域内において空間的かつ時間的に分散させる。
【０１５０】
これにより、輝度ムラが視認されることをより適切に防止することができる。
【０１５１】
なお、本実施形態では、表示装置２０に備えられる補正データ記憶部３１に、輝度ムラ領域の位置を示す情報と、グループ情報とを記憶させておき、表示装置２０に備えられる空間分散処理部３３および時間分散処理部３４が、表示用画像データに応じた画像を表示させる際に、輝度ムラ領域における調整補正画素の位置を空間的かつ時間的に分散させるように決定している。特に、上記で説明した補正データ記述方法を用いることにより、補正データのデータサイズを小さくし、補正データ記憶部３１に要求される記憶容量を低減することができる。
【０１５２】
また、本実施形態では、ソースラインの延伸方向に平行なスジ状の輝度ムラを補正する場合について説明したが、これに限らず、ゲートラインの延伸方向に平行なスジ状の輝度ムラを補正することもできる。この場合、例えば、撮像データから抽出した輝度データに基づいて各ゲートラインの延伸方向に対応するライン画素群についての輝度値の平均値を検出し、この検出結果に対してライン画素群に垂直な方向について移動平均化処理を行い、これらの処理結果に基づいて輝度ムラの検出を行えばよい。また、輝度ムラの検出結果に基づいて、輝度ムラ領域に対応するゲートラインにおける所定間隔毎の画素を調整補正画素として選択し、選択した調整補正画素の階調値を少なくとも１階調変化させるように画像データを補正すればよい。
【０１５３】
また、本実施形態では、各輝度ムラ領域における適正輝度値に対する輝度値のずれを算出する際、ライン画素群の輝度値の移動平均値を適正輝度値とみなして上記の輝度値のずれを算出する。これにより、例えばバックライトからの照射光の輝度分布などによって表示画面上の位置に応じて適正輝度値が異なる場合であっても、各輝度ムラ領域における適正輝度値に対する輝度値のずれの程度を容易かつ適切に算出することができる。なお、例えば表示画面上の位置に応じた適正輝度値が予めわかっているような場合には、その適正輝度値に基づいて各輝度ムラ領域における輝度値のずれを算出してもよい。
【０１５４】
〔実施形態２〕
本発明の他の実施形態について説明する。なお、説明の便宜上、実施形態１で説明した部材と同様の機能を有する部材については実施形態１と同じ符号を付し、その説明を省略する。
【０１５５】
実施形態１ではスジ状のムラを補正する構成について説明したが、本実施形態では局所的な斑点状のムラ（斑点状ムラ）を補正する場合の構成例について説明する。
【０１５６】
図１６は、本実施形態にかかる補正データ作成装置１０ｂの構成を示すブロック図である。この図に示すように、補正データ作成装置１０ｂは、実施形態１における補正データ作成装置の移動平均化処理部１４、輝度ムラ検出部１５、および補正データ生成部１６に代えて、移動平均化処理部１４ｂ、輝度ムラ検出部１５ｂ、および補正データ生成部１６ｂを備えている。表示データ生成部１１、撮像部１２、および輝度データ抽出部１３の機能は実施形態１と略同様である。
【０１５７】
移動平均化処理部１４ｂは、表示データ生成部１１が表示パネル２１の全域に同一階調（基準階調値。例えば階調値１０）の画像データに対応する画像を表示させ、撮像部１２がそれを撮像した撮像データから輝度データ抽出部１３が抽出した輝度データに対して、各画素の輝度値を、当該各画素を中心とする所定サイズのブロックに含まれる各画素の輝度値の平均値に置き換える移動平均化処理を行う。なお、以下では、移動平均化処理後の各画素の輝度値を移動平均値と称する。
【０１５８】
なお、上記所定サイズは、斑点状の輝度ムラ領域の幅よりも十分に広く、当該所定サイズ内の各位置におけるバックライトからの照射光の輝度値の差が輝度ムラ領域における輝度値の適正輝度値からのずれに対して十分に小さくなる範囲に設定することが好ましい。具体的には、携帯電話等のモバイル機器に備えられる数百画素×数百画素程度の表示パネルの場合、２ｍｍ×２ｍｍ〜１０ｍｍ×１０ｍｍの範囲に設定することが好ましい。本実施形態では、３６０画素×４８０画素の表示パネル２１を用いており、上記範囲を５ｍｍ×５ｍｍとした。なお、上記所定サイズにおける縦方向の長さと横方向の長さとは必ずしも同じでなくてもよい。
【０１５９】
輝度ムラ検出部１５ｂは、輝度データ抽出部１３が抽出した各画素の輝度値と当該各画素についての移動平均値との差（輝度ムラ量）を算出し、この差の絶対値が所定の閾値以上である画素が所定数以上連続している領域を斑点状の輝度ムラとして検出する。
【０１６０】
また、上記所定数は、輝度ムラが視認されることを防止できるように表示装置のサイズや用途等に応じて適宜設定すればよい。
【０１６１】
補正データ生成部１６ｂは、輝度ムラ検出部１５ｂの検出結果に基づいて、斑点状の輝度ムラを視認されにくくするための補正情報を生成し、これを所定のデータ記述法に従って補正データとし、表示装置２０ｂに備えられる駆動制御部２２ｂに出力する。
【０１６２】
ここで、本実施形態における斑点状ムラの補正方法を説明する。本実施形態で想定している斑点状ムラは、表示パネルに均一画像を表示させたときに、周りに比べて明るく見える明るい斑点状ムラと、周りに比べて暗く見える暗い斑点状ムラである。
【０１６３】
図１７に本実施形態における斑点状ムラの補正方法の概念図を示す。
【０１６４】
本実施形態では、斑点状ムラの補正方法として、図１７に示す通り、明るい斑点状ムラ、および暗い斑点状ムラのそれぞれについて４種類の補正パターンのみを用い、斑点状ムラの発生している部分に適用することによって、斑点状ムラを目立たなくする方法を採用している。なお、斑点状ムラの補正に用いる補正パターンは本実施形態の場合、明暗の斑点状ムラそれぞれについて４種類としているが、これに限るものではない。補正パターンの種類が多ければ多いほど良好なムラ補正が可能となるが、表示装置２０ｂに備えられる補正パターン記憶部３９（後述する図１８参照）に記憶させる記憶容量が増大する。このため、補正パターンの種類は、補正パターン記憶部３９の容量に応じて適宜調整すればよい。
【０１６５】
斑点状ムラの輝度ムラ量は、階調値に換算すると通常は１階調以下であるため、補正パターンは、プラス１階調、またはマイナス１階調の補正を行う画素（調整補正画素）を空間的に間引いて配置する必要がある。ここで、輝度ムラ量とは、輝度データ抽出部１３が抽出した各画素の輝度値と当該各画素についての移動平均値との差のことである。
【０１６６】
１階調以下の補正は、いわゆるディザ法を用いる。ディザ法とは、少ない階調で擬似的により多くの階調を表現するための画像処理の手法である。本実施形態における斑点状ムラの補正方法では、１階調以下のムラを補正するため、１階調を１６段階に分けて、１／１６階調単位で１階調以下の補正を行っている。具体的には、ディザ行列として、図１９に示すような４×４の各マスに１〜１６の値を割り振ったものを用いる。例えば、５／１６階調分の階調を下げたい場合、図１９で示すディザ行列の１から５に対応する画素にマイナス１階調の補正を行えばよい。
【０１６７】
なお、カラー表示パネルの画素は、Ｒ（赤）、Ｇ（緑）、Ｂ（青）があるが、本実施形態では図１９に示したようにＲ，Ｇ，Ｂの各色についてそれぞれディザ行列を異ならせている。これにより、補正画素を空間的にまばらに配置することができ、より良好にムラ補正を行うことが可能となる。
【０１６８】
このように、本実施形態では、４×４のディザ行列を用いて１階調以下の補正を１／１６階調単位で行う。したがって、補正の基本単位は４画素×４画素の領域である。
【０１６９】
本実施形態では、上記した４×４のディザ行列を用いて、斑点状ムラを補正するための４画素×４画素の基本補正パターンを生成する。図２０は、上記ディザ行列を用いて作成した４画素×４画素の基本補正パターンを示している。図２０において、白以外の画素（斜線などで示した画素）が１階調上げるか、または１階調下げる調整補正画素である。なお、表示装置２０の駆動制御部２２ｂにディザ行列を記憶させておき、駆動制御部２２ｂがディザ行列に基づいて基本補正パターンを算出するようにしてもよく、ディザ行列を用いて予め算出した基本パターンを駆動制御部２２ｂに備えられる補正パターン記憶部３９に記憶させておいてもよい。
【０１７０】
本実施形態では、明るい斑点状のムラ、および暗い斑点状のムラのそれぞれについて４個の基本補正パターンを補正パターン記憶部（基本補正パターン記憶部）３９に記憶しており、空間分散処理部３３ｂが各輝度ムラ領域の輝度ムラ量のばらつき値（輝度ムラ量の標準偏差）に応じた基本補正パターンを選択して調整補正画素を決定する。
【０１７１】
例えば、ある表示パネルの、輝度データ抽出部１３が抽出した各画素の輝度値と当該各画素についての移動平均値（適正輝度値）との差である輝度ムラ量のばらつき値（輝度ムラ量の標準偏差）が３で、基準階調値の画像データに対する適正輝度値と基準階調値よりも１階調高い画像データに対する適正輝度値との差Ａが１０だとすると、階調換算した輝度ムラ量のばらつき値σは０．３となる。
【０１７２】
この値を用いて、暗い斑点状のムラに対して、弱い補正から順に、０．５σ、１．０σ、１．５σ、２．０σに対応する４画素×４画素の基本補正パターンを選択することとする。すなわち、図２０の場合、上記４つの４画素×４画素の基本補正パターンとして、階調０．１５（０．５×０．３）に一番近い基本０２、階調０．３０（１．０×０．３）に一番近い基本０５、階調０．４５（１．５×０．３）に一番近い基本０７、階調０．６０（２．０×０．３）に一番近い基本１０が選択される。そして、選択された基本補正パターンが適用される領域では、基本補正パターン中の白以外の画素に対応する画素の階調値を１階調上げるように補正が行われる。
【０１７３】
なお、以降の説明では、０．５σに対応する４画素×４画素の基本補正パターンをＡ１パターン、１．０σに対応する４画素×４画素の基本補正パターンをＢ１パターン、１．５σに対応する４画素×４画素の基本補正パターンをＣ１パターン、２．０σに対応する４画素×４画素の基本補正パターンをＤ１パターンとする。ここで、上記Ａ１パターン、Ｂ１パターン、Ｃ１パターン、およびＤ１パターンが、それぞれ０．５σ、１．０σ、１．５σ、および２．０σに対応する場合について主に説明するが、これに限らず、基本補正パターンは輝度ムラの程度に応じて適宜調整可能である。例えば、Ａ１パターン、Ｂ１パターン、Ｃ１パターン、およびＤ１パターンとして、１．２σ、１．６σ、２．０σ、および２．４σに対応するものを用いてもよい。
【０１７４】
明るい斑点状ムラに対する４つの４画素×４画素の基本補正パターンは、暗い斑点状ムラに対応する３つの基本補正パターンの選択方法と同様の方法で求めることができる。したがって、図２０に示した１６個の基本補正パターンの中から明るい斑点状ムラの輝度ムラ量のばらつき値に応じた基本補正パターンが４つ選択され、選択された基本補正パターンが適用される領域では、基本補正パターン中の白以外の画素に対応する画素の階調値を１階調下げるように補正が行われる。なお、以降の説明では、明るい斑点状ムラに対応する４つの基本補正パターンをそれぞれＡ２パターン、Ｂ２パターン、Ｃ２パターン、およびＤ２パターンとする。
【０１７５】
本実施形態では、暗い斑点状ムラに対応する補正領域については、上記したＡ１パターン〜Ｄ１パターンの４つの基本補正パターンを組み合わせたものを用いて補正を行い、明るい斑点状ムラに対応する補正領域については、上記したＡ２パターン〜Ｄ２パターンを組み合わせたものを用いて補正を行う。
【０１７６】
具体的には、斑点状ムラは、一般に、その中心部が最も輝度ムラ量が大きく、中心から離れるほど輝度ムラ量が小さくなる。そこで、本実施形態では、補正領域の中心部に近いほど補正強度が強くなるように４つの基本補正パターンを組み合わせる。図２１は、４つの基本補正パターンを組み合わせて得られる補正パターンの例を示している。ここで、図２１におけるＡはＡ１パターンおよびＡ２パターンに対応し、ＢはＢ１パターンおよびＢ２パターン、ＣはＣ１パターンおよびＣ２パターン、ＤはＤ１パターンおよびＤ２パターンに対応している。すなわち、図２１におけるＡ、Ｂ、Ｃ、Ｄはそれぞれ４画素×４画素の大きさを持つ。また、図２１におけるＯは図２０における基本００と常に対応させる。すなわち、図２１のＯに対応する部分の画素については補正を行わない。例えば、斑点状ムラに対応する補正領域の大きさに応じて、図２１に示したパターン１〜パターン４のいずれかを選択すればよい。なお、図２１に示した例は、補正パターンの一例であり、基本補正パターンの組み合わせ方法はこれに限るものではなく、斑点状ムラの大きさや形等に応じて適宜調整可能である。
【０１７７】
このように、斑点状ムラを補正するための補正パターンの大きさ（あるいは、大きさおよび形状）と、４つの基本補正パターンの配置方法とを対応付けたテーブルを用意しておき、表示パネルの輝度ムラの程度（斑点状ムラにおける輝度ムラ量のばらつき値）に応じて４つの基本補正パターンを適切に選択し、斑点状ムラに対応する補正領域の大きさ（あるいは、大きさおよび形状）に応じた補正パターンを選択することによって、斑点状ムラを適切に補正することができる。
【０１７８】
また、上記の方法によれば、少ない数の補正パターンおよび基本補正パターンを用いて斑点状ムラの補正を行うことができるので、補正データ記憶部３１ｂおよび補正パターン記憶部３９の記憶容量を非常に少なくすることができる。
【０１７９】
本実施形態では、輝度ムラ検出部１５ｂが、実際の表示パネルの輝度ムラ領域に対応する補正領域の大きさに一番近い大きさをもつ補正パターンを図２１に示す補正パターンの中から選び出し、補正パターンを適用する位置（あるいは補正領域の位置）、補正パターンのパターン番号、および暗い斑点状ムラか明るい斑点状ムラかを示す情報を補正データ生成部１６ｂに送る。
【０１８０】
補正データ生成部１６ｂは、補正パターンにおけるＡ，Ｂ，Ｃ，Ｄに対応する基本補正パターンを明るい斑点状ムラおよび暗い斑点状ムラのそれぞれについて選び出す。
【０１８１】
このようにして、補正データ生成部１６ｂは、輝度ムラ検出部１５ｂから送られる補正パターンを適用する位置（あるいは各補正領域の位置）、補正パターンのパターン番号、および暗い斑点状ムラか明るい斑点状ムラかを示す情報に加え、補正パターン中のＡ、Ｂ、Ｃ、Ｄに対応する基本補正パターンを明るい斑点状ムラおよび暗い斑点状ムラのそれぞれについて示した補正データを生成する。
【０１８２】
具体的には、３６０画素×４８０画素の表示装置の場合、３６０以下の自然数は９ビット、４８０以下の自然数も９ビットで記述できるため、（ａ）位置情報は、計１８ビットで記述でき、画素単位の精度で位置を指定することができる。どのような補正をその位置に与えるかについては、まず、（ｂ）明るいムラの補正を与えるか暗いムラの補正を与えるか、は１ビットで記述できる（明るいムラ補正か暗いムラ補正かの一方のみを行う場合はこのビットを省略できる）。さらに、（ｃ）４つの基本補正パターンからどれを選ぶか、を指定すればよいため、これは２ビットで記述できる。その結果、基本補正パターンの配置を１つ指定するうえで、計２１ビットで記述できる。斑点ムラの基本パターンを表示画面上の１００か所に配置するのであれば、２１００ビットでこれを記述することができる。
【０１８３】
あるいは、明るいムラの補正と暗いムラの補正とをその個数で表現してもよく、この場合は、上記の（ｂ）明るいムラの補正を与えるか暗いムラの補正を与えるか、のビットが省略可能である。
【０１８４】
例えば、明るいムラの補正が７０か所、暗いムラの補正が３０か所存在する場合について考える。この補正の個数は、それぞれ７ビットで表現される（個数を何ビットで表わすかについては、表示装置の機種ごとに適宜決めておけばよい）ため、合わせて１４ビットで記述できる。そして、（ａ）位置情報は１８ビットで記述され、（ｃ）４つの基本補正パターンからどれを選ぶか、は２ビットで記述されるため、基本補正パターンの配置１か所あたり２０ビットで、画素単位で指定することができる。従って、明るいムラの補正が７０か所存在するため、計２０×７０＝１４００ビットで記述される。そして、１４０１ビット目以降は暗いムラの補正データとして暗いムラの補正が３０か所存在ため、２０×３０＝６００ビットで記述される。その結果、この方法では、１４００＋６００＋７＋７＝２０１４ビットで補正データを記述することができる。
【０１８５】
さらに、画面上を適宜分割して考え、その分割された領域ごとに、補正パターン配置個数と座標とを指定する方法を採ることもできる。
【０１８６】
すなわち、３６０画素×４８０画素の表示装置の場合、表示画面を、６０画素×６０画素の領域４８個に分割して考え、それぞれの領域ごとに、上記のデータ記述方法を適用しておけばよい。
【０１８７】
例えば、領域１つあたり、暗いムラの補正と明るいムラの補正とが最大８個まで配置されるとする（この上限値は、表示装置の機種ごとに適宜決めておけばよい）。このとき、明るいムラ、暗いムラそれぞれ、個数を３ビットずつ、計６ビットで記述できる。そこで、例えば、表示画面の右上端の６０画素×６０画素領域に配置すべき、明るいムラの補正パターンの個数（例えば５個）及び暗いムラの補正パターンの個数（例えば１個）を、補正データの最初の６ビットで記述する。この場合、６０以下の自然数は６ビットで表現できることから、（ａ）位置情報は、１２ビットで記述できる。また、（ｃ）４つの基本補正パターンからどれを選ぶか、は２ビットで記述できる。そのため、ムラ補正パターンを１つ配置するのに１４ビットで記述することができる。それゆえ、明るいムラの補正パターンが５か所ならば７０ビット、暗いムラの補正パターンが１か所ならば１４ビット、計６＋７０＋１４＝９０ビットで、最初の６０画素×６０画素領域に対するムラ補正パターン配置方法が記述できたことになる。
【０１８８】
すなわち、最初の３ビットで、最初の６０画素×６０画素領域に含まれる明るいムラ補正パターンの数が指定され、次の３ビットで、最初の６０画素×６０画素領域に含まれる暗いムラ補正パターンの数が指定される。そして、明るいムラ補正パターンがｎ個、暗いムラ補正パターンがｍ個と指定されていたならば、次の（１４×ｎ）ビットを、明るいムラ補正パターンの配置位置及び種類（４つの補正パターンのいずれであるか）、さらに続く（１４×ｍ）ビットを、暗いムラ補正パターンの配置位置及び種類が、それぞれ記述される。そして、これらの次のビット以降、すなわち（３＋３＋１４×ｎ＋１４×ｍ＋１）ビット目以降は、次の６０画素×６０画素領域の補正方法の記述となる。この方法で、明るいムラの補正、暗いムラの補正が合わせて１００か所ある場合を考えると、表示画面が４８領域に分割され、各々に対し６ビットで補正パターンの個数を指定し、また補正パターンの位置情報と種類は１か所あたり１４ビットで指定されるため、６×４８＋１４×１００＝１６８８ビットで、補正方法を記述できることになる。
【０１８９】
また、上記方法では、ある６０画素×６０画素領域に補正パターンが含まれないとき、その領域の補正データは［００００００］と記述される。無補正の領域が連続する場合、この［００００００］を、連続する数だけ並べることによりこれを記述できる。これは、図１５で無補正ライン画素群を［０］で記述した方法に類似の方法である。ここで、図１７の方法を適用することも可能である。すなわち、［００００００］の後の数ビットを用いて、無補正領域がいくつ続くかを指定する方法をとってもよい。輝度ムラが表示画面の特定の箇所に集中し、無補正領域の連続が多くなる傾向のある表示画面機種では、この方法を採ることにより、さらにデータ量を削減することもできる。
【０１９０】
なお、基本補正パターンは、表示画面上にある範囲で広がりを持つものであり、これを配置するときの位置情報とは、中央の座標、あるいは端の座標など、適当に設定されるルールによって決められる基準座標である。従って、上記における無補正領域とは、その領域に上記基準座標が含まれないことを意味するものであり、必ずしもその領域内に調整補正画素を全く含まないことを意味しない。場合によっては、隣接する領域に配置された基本補正パターンが無補正領域にまで広がり、無補正領域内にも調整補正画素を含む場合もあり得る。
【０１９１】
このようにして、補正情報は、補正データ生成部１６ｂで、０／１からなる２進数の信号の補正データとなり、表示装置２０ｂの駆動制御部２２ｂへ出力される。
【０１９２】
図１８は、表示装置２０ｂに備えられる駆動制御部２２ｂの構成を示すブロック図である。この図に示すように、駆動制御部２２ｂは、補正データ記憶部３１ｂ、復号部３２ｂ、空間分散処理部３３ｂ、時間分散処理部３４ｂ、加算処理部３５、第１ラッチ部３６、第２ラッチ部３７、Ｄ／Ａ変換部３８、および補正パターン記憶部３９を備えている。なお、空間分散処理部３３ｂ、時間分散処理部３４ｂ、および加算処理部３５によって画像データ補正部が形成されている。補正パターン記憶部３９は、図２０に示した基本補正パターンと図２１に示した補正パターンとを予め記憶している。
【０１９３】
補正データ記憶部３１ｂは、表示装置２０ｂの検査時に補正データ作成装置１０ｂから入力される補正データを記憶する不揮発性のメモリである。上述した方法に従って２進数の信号として記述される補正データはここに格納される。
【０１９４】
復号部３２ｂは、表示装置２０ｂにおいて画像データに応じた画像を表示パネル２１に表示させる際、補正データ記憶部３１ｂに記憶されている補正データを読み出し、この補正データを復号して階調補正情報とし、空間分散処理部３３ｂに出力する。
【０１９５】
空間分散処理部３３ｂは、復号部３２ｂから入力された補正データに基づいて、各輝度ムラ領域における調整補正画素の位置を設定し、この設定結果を示す階調補正情を時間分散処理部３４ｂに出力する。
【０１９６】
具体的には、空間分散処理部３３ｂは、復号部３２ｂから入力された階調補正情報から補正パターンおよび基本補正パターンを検出し、この検出結果に対応する補正パターンおよび基本補正パターンを補正パターン記憶部３９から抽出することで調整補正画素を決定する。
【０１９７】
時間分散処理部３４ｂは、空間分散処理部３３ｂから入力される補正データに基づいて、上記の各ブロックにおける調整補正画素の位置を、所定期間毎（本実施形態では１フレーム毎）に変更するように設定し、この設定結果を示す補正データを加算処理部３５に出力する。
【０１９８】
例えば、図２２に示すように、配置パターンの適用位置をフレーム毎にずらすことにより、調整補正画素の位置を１フレーム毎に変更するようにしてもよい。
【０１９９】
なお、空間分散処理部３３ｂと時間分散処理部３４ｂの順番は逆であってもよい。すなわち、復号部３２ｂから時間分散処理部３４ｂに補正データが入力され、時間分散処理部３４ｂから空間分散処理部３３ｂに補正データが入力される構成であってもよい。
【０２００】
加算処理部３５、第１ラッチ部３６、第２ラッチ部３７、およびＤ／Ａ変換部３８の機能は実施形態１と略同様である。
【０２０１】
以上のように、本実施形態にかかる補正データ作成装置１０ｂは、表示パネル２１の全画素に同一階調の検査用画像データに応じた画像を表示させてその表示画面を撮像し、撮像データから輝度データを抽出し、抽出した輝度データから斑点状の輝度ムラを抽出する。そして、輝度ムラ検出部１５ｂが検出した、それぞれの輝度ムラ領域に対応する補正領域に適用する補正パターンの位置、補正パターンのパターン番号（補正パターン情報、補正パターン識別情報）、暗い斑点状ムラか明るい斑点状ムラかを示す情報、および基本補正パターンのパターン番号（基本補正パターン情報、基本パターン識別情報）からなる補正データを生成して表示装置２０ｂに備えられる補正データ記憶部３１ｂに記憶させる。上記基本補正パターンは、輝度ムラ量のばらつき値を元に生成する。
【０２０２】
そして、表示装置２０ｂは、画像データに応じた画像を表示パネル２１に表示させる際、補正データ記憶部３１ｂに記憶されている補正データに基づいて補正パターン記憶部３９に記憶されている補正パターンおよび基本補正パターンの中から適切な補正パターンおよび基本補正パターンを選択し、輝度ムラ領域に対応する補正領域の輝度ムラを補正する。ここで、上記基本補正パターンは、輝度ムラ量のばらつき値を元に生成されているため、表示パネルの輝度ムラ量の程度に合わせた基本補正パターンを生成することができる。
【０２０３】
したがって、輝度ムラを精度よく補正し、輝度ムラ視認されることをより適切に防止することができる。
【０２０４】
また、本実施形態では、各輝度ムラ領域における調整補正画素の位置を所定期間毎（フレーム毎）に変化させる。つまり、調整補正画素を輝度ムラ領域内において空間的かつ時間的に分散させる。
【０２０５】
これにより、視認される画像を、当該輝度ムラ領域の全画素の輝度値を画像データの１階調分に相当する輝度値未満で一律に変化させた場合の画像により近づけることができる。したがって、輝度ムラが視認されることをより適切に防止することができる。
【０２０６】
また、本実施形態では、斑点状の輝度ムラが生じる領域に対応する補正領域に対する補正を明るい斑点状ムラおよび暗い斑点状ムラそれぞれ４種類の基本補正パターンを用いて行う。これにより、補正データには、各輝度ムラ領域に対応する補正領域の位置情報（あるいは、補正パターンを適用する位置の位置情報）、補正パターン番号、明るい斑点状ムラか暗い斑点状ムラかを示す情報、および基本補正パターンを示す情報の４つのパラメータを含めるだけでよいので、補正データのデータ量を低減して表示装置２０ｂに備えられる補正データ記憶部３１ｂに要求される記憶容量を低減することができる。
【０２０７】
〔実施形態３〕
本発明のさらに他の実施形態について説明する。なお、説明の便宜上、実施形態１，２で説明した部材と同様の機能を有する部材についてはそれと同じ符号を付し、その説明を省略する。
【０２０８】
実施形態１ではスジ状の輝度ムラを補正する構成について説明し、実施形態２では斑点状の輝度ムラを補正する構成について説明したが、本実施形態ではスジ状の輝度ムラおよび斑点状の輝度ムラの両方を補正する場合の構成例について説明する。
【０２０９】
図２３は、本実施形態にかかる補正データ作成装置１０ｃの構成を示すブロック図である。この図に示すように、補正データ作成装置１０ｃは、実施形態１における補正データ作成装置１０の構成に加えて、移動平均化処理部１４ｂ、輝度ムラ検出部１５ｂ、および補正データ生成部１６ｂを備えている。そして、これにより、補正データ生成部１６がスジ状の輝度ムラを補正するための補正データを生成して表示装置２０ｃの駆動制御部２２ｃに出力し、補正データ生成部１６ｂが斑点状の輝度ムラを補正するための補正データを生成して表示装置２０ｃの駆動制御部２２ｃに出力するようになっている。これら各補正データの生成方法は実施形態１，２と同様である。
【０２１０】
図２４は、本実施形態にかかる表示装置２０ｃに備えられる駆動制御部２２ｃの構成を示すブロック図である。この図に示すように、駆動制御部２２ｃは、実施形態１における駆動制御部２２に加えて、補正データ記憶部３１ｂ、復号部３２ｂ、空間分散処理部３３ｂ、時間分散処理部３４ｂ、および補正パターン記憶部３９を備えている。なお、補正データ記憶部３１、復号部３２、空間分散処理部３３、および時間分散処理部３４によってスジ状の輝度ムラを補正するための第１補正部が構成され、補正データ記憶部３１ｂ、復号部３２ｂ、空間分散処理部３３ｂ、時間分散処理部３４ｂ、および補正パターン記憶部３９によって斑点状の輝度ムラを補正するための第２補正部が構成されている。
【０２１１】
そして、加算処理部３５は、時間分散処理部３４から入力されるスジ状の輝度ムラを補正するための補正データと、時間分散処理部３４ｂから入力される斑点状の輝度ムラを補正するための補正データとに基づいて画像データを補正する。
【０２１２】
なお、スジ状の輝度ムラを補正するための補正データおよび斑点状の輝度ムラを補正するための補正データの両方において調整補正画素として選択されている画素については、階調値の最大補正量を１階調に設定してもよく、２階調に設定してもよい。例えば、明るいスジ状の輝度ムラ領域かつ明るい斑点状の輝度ムラ領域に該当する領域の調整補正画素の場合、当該調整補正画素の階調値を２階調低くするようにしてもよく、１階調だけ低くするようにしてもよい。
【０２１３】
本実施形態では、上記の構成により、スジ状の輝度ムラと斑点状の輝度ムラの両方について、輝度ムラとして視認されにくいように補正することができる。
【０２１４】
また、本実施形態では、スジ状の輝度ムラを補正するための処理部（補正データ記憶部３１、復号部３２、空間分散処理部３３、および時間分散処理部３４）と、斑点状の輝度ムラを補正するための処理部（補正データ記憶部３１ｂ、復号部３２ｂ、空間分散処理部３３ｂ、時間分散処理部３４ｂ、および補正パターン記憶部３９）とを別々に設けている。
【０２１５】
補正データの記述方法については、スジ状の輝度ムラの補正に関する補正データについては実施形態１の方法を用いて記述し、斑点状の輝度ムラの補正に関する補正データについては実施形態２の方法を用いて記述することができる。
【０２１６】
すなわち、スジ状の輝度ムラの補正情報を補正データとして記述するには、輝度ムラを解析して、これを複数段階のグループ分けするとともに、表示画面を、スジ状ムラ方向に延びるライン画素群ごとに分割して考え、各ライン画素群に対して、（ａ）補正を行うか否か、（ｂ）暗いムラの補正か明るいムラの補正か、（ｃ）どの補正強度グループか、について記述すればよい。暗いムラの補正か明るいムラの補正かの一方しか行わない場合は、（ｂ）に係る情報は省略することもできる。この方法により、少ないデータ量で補正情報を記述することができる。
【０２１７】
また、斑点状の輝度ムラの補正情報を補正データとして記述するには、別途、基本補正パターンをテーブルに記憶させておいた上で、（ａ）表示画面上のどの位置に基本補正パターンを配置するか、（ｂ）明るいムラの補正を与えるか暗いムラの補正を与えるか（明るいムラ補正か暗いムラ補正かの一方のみを行う場合はこのビットを省略できる）、（ｃ）テーブルの基本補正パターンからどれを選ぶか、の情報によって記述すればよい。
【０２１８】
つまり、スジ状の輝度ムラの補正に関する補正データの記述は、表示画面が仮想的に分割されたライン画素群の各々に対し、補正するか否かを指定した上で、補正するライン画素群についてはその補正方法を記述する。これに対し、斑点状の輝度ムラの補正に関する補正データの記述は、補正する領域に対して個別に、その位置と補正方法を指定する記述方法をとる。このように、スジ状輝度ムラの補正と斑点状輝度ムラ補正で、それぞれ補正記述方法を変え、前者は分割された表示画面の各領域に対する補正の有無に関する情報を含んだ補正方法の記述、後者は基本補正パターンの配置方法の記述とすることにより、全補正データのデータ量を小さなものにすることができる。両データは各々、補正データ記憶部３１の決められた領域に格納してもよいし、両データの境界を指定するような情報を挟んで連続して格納してもよい。
【０２１９】
なお、前者の情報に関しては、必ずしも表示画面の全領域に対する補正方法を記述する必要はなく、例えば、表示画面の周辺部は、輝度ムラがあっても目立たないため、周辺部の補正は行わないようにすることもでき、この場合は周辺部に関する補正データも不要となる。要するに、少なくともムラが視認されやすい表示画面範囲を分割してその各領域への補正の有無及び補正の方法を設定しておけばよい。
【０２２０】
また、上記各実施形態では、補正データ作成装置１０，１０ｂ，１０ｃが表示装置２０，２０ｂ，２０ｃとは別に備えられているものとしたが、これに限るものではなく、補正データ作成装置１０，１０ｂ，１０ｃの一部または全部が表示装置２０，２０ｂ，２０ｃに備えられている構成としてもよい。補正データ作成装置１０，１０ｂ，１０ｃのうち、撮像部１２を除く各部を表示装置２０，２０ｂ，２０ｃに設け、撮像部１２によって表示パネル２１の表示画面を撮像して取得した撮像データを表示装置２０，２０ｂ，２０ｃ内に設けられた補正データ作成装置１０，１０ｂ，１０ｃに入力するようにしてもよい。
【０２２１】
また、上記各実施形態において、補正データ作成装置１０，１０ｂ，１０ｃあるいは駆動制御装置２２，２２ｂ，２２ｃに備えられる各部（各ブロック）を、ＣＰＵ等のプロセッサを用いてソフトウェアによって実現してもよい。この場合、これら各ブロックは、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである上記各ブロックの制御プログラムのプログラムコード（実行形式プログラム、中間コードプログラム、ソースプログラム）をコンピュータで読み取り可能に記録した記録媒体を、補正データ作成装置１０，１０ｂ，１０ｃあるいは駆動制御装置２２，２２ｂ，２２ｃに供給し、そのコンピュータ（またはＣＰＵやＭＰＵ）が記録媒体に記録されているプログラムコードを読み出し実行することによって達成される。
【０２２２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２２３】
また、補正データ作成装置１０，１０ｂ，１０ｃあるいは駆動制御装置２２，２２ｂ，２２ｃを通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２２４】
また、補正データ作成装置１０，１０ｂ，１０ｃあるいは駆動制御装置２２，２２ｂ，２２ｃの各ブロックは、ソフトウェアを用いて実現されるものに限らず、ハードウェアロジックによって構成されるものであってもよく、処理の一部を行うハードウェアと当該ハードウェアの制御や残余の処理を行うソフトウェアを実行する演算手段とを組み合わせたものであってもよい。
【０２２５】
また、上記の各実施形態では、本発明を液晶表示装置に適用する場合について説明したが、本発明の適用対象はこれに限るものではなく、例えばプラズマディスプレイ、有機ＥＬディスプレイ等の表示装置にも適用できる。
【０２２６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２２７】
本発明は、液晶表示装置、プラズマディスプレイ、有機ＥＬディスプレイ等の各種表示装置、およびこれらの表示装置に対する補正データを作成する補正データ作成装置に適用できる。
【符号の説明】
【０２２８】
１０，１０ｂ，１０ｃ  補正データ作成装置
１１  表示データ生成部
１２  撮像部
１３  輝度データ抽出部
１４，１４ｂ  移動平均化処理部
１５，１５ｂ  輝度ムラ検出部
１６，１６ｂ  補正データ生成部
２０，２０ｂ，２０ｃ  表示装置
２１  表示パネル
２２，２２ｂ，２２ｃ  駆動制御装置
３１，３１ｂ  補正データ記憶部
３２，３２ｂ  復号部
３３，３３ｂ  空間分散処理部（画像データ補正部）
３４，３４ｂ  時間分散処理部（画像データ補正部）
３５  加算処理部（画像データ補正部）
３６  第１ラッチ部
３７  第２ラッチ部
３８  Ｄ／Ａ変換部
３９  補正パターン記憶部（基本補正パターン記憶部）
【図１】
2011209639.tif 000003
【図２】
2011209639.tif 000004
【図３】
2011209639.tif 000005
【図４】
2011209639.tif 000006
【図５】
2011209639.tif 000007
【図６】
2011209639.tif 000008
【図７】
2011209639.tif 000009
【図８】
2011209639.tif 000010
【図９】
2011209639.tif 000011
【図１０】
2011209639.tif 000012
【図１１】
2011209639.tif 000013
【図１２】
2011209639.tif 000014
【図１３】
2011209639.tif 000015
【図１４】
2011209639.tif 000016
【図１５】
2011209639.tif 000017
【図１６】
2011209639.tif 000018
【図１７】
2011209639.tif 000019
【図１８】
2011209639.tif 000020
【図１９】
2011209639.tif 000021
【図２０】
2011209639.tif 000022
【図２１】
2011209639.tif 000023
【図２２】
2011209639.tif 000024
【図２３】
2011209639.tif 000025
【図２４】
2011209639.tif 000026
【手続補正書】
【提出日】平成23年1月13日(2011.1.13)
【手続補正１】
【補正対象書類名】特許請求の範囲
【補正対象項目名】全文
【補正方法】変更
【補正の内容】
【特許請求の範囲】
【請求項１】
表示用画像データに応じた画像を表示するための表示画面と、上記表示画面の各画素の表示状態を制御する駆動制御部とを備えた表示装置であって、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための、上記検査用画像データに基づいて作成された補正データを用いて、上記表示用画像データに応じた画像を上記表示画面に表示させる際に、上記補正領域に含まれる画素のうちの少なくとも一部の画素の階調値を変化させるように上記表示用画像データを補正する画像データ補正部を備え、
上記補正データには、上記表示画面に上記検査用画像データに応じた画像を表示させた際の各画素の輝度値あるいは各画素を複数の画素毎に分割した各画素群の輝度値と、上記検査用画像データに対応する当該各画素あるいは当該各画素群の適正輝度値と、の差である輝度ムラ量のばらつき値、および、各輝度ムラ領域における輝度ムラの程度に応じて、各輝度ムラ領域に対応する補正領域をグループ分けしたグループ情報と、そのグループ情報に対応付けられた、グループごとの補正の内容を示す補正情報とが含まれており、
上記画像データ補正部は、上記各補正領域において階調値を変化させる画素を当該各補正領域についてのグループ分け結果に基づいて決定し、
上記駆動制御部は、上記画像データ補正部によって補正された表示用画像データに応じた画像を表示させるように上記各画素の表示状態を制御することを特徴とする表示装置。
【請求項２】
上記適正輝度値は、上記検査用画像データに応じた画像が表示されている状態の上記表示画面を撮像して得られる撮像データの輝度値の移動平均値であることを特徴とする請求項１に記載の表示装置。
【請求項３】
表示用画像データに応じた画像を表示するための表示画面と、上記表示画面の各画素の表示状態を制御する駆動制御部とを備えた表示装置であって、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための、上記検査用画像データに基づいて作成された補正データを用いて、上記表示用画像データに応じた画像を上記表示画面に表示させる際に、上記補正領域に含まれる画素のうちの少なくとも一部の画素の階調値を変化させるように上記表示用画像データを補正する画像データ補正部を備え、
上記補正データには、所定サイズの領域内に含まれる画素のうちのいずれの画素の階調値を変化させるかを予め定めた１または複数の基本補正パターンを示す基本補正パターン情報と、上記基本補正パターンを配置する座標を示す座標情報とが含まれており、
上記画像データ補正部は、上記各補正領域において階調値を変化させる画素を、上記基本補正パターン同士を組み合わせることによって決定することを特徴とする表示装置。
【請求項４】
上記適正輝度値は、上記検査用画像データに応じた画像が表示されている状態の上記表示画面を撮像して得られる撮像データの輝度値の移動平均値であることを特徴とする請求項３に記載の表示装置。
【請求項５】
上記補正情報は、補正を行うかどうかを示す補正要否情報、及び、補正を行う画素群については、その少なくとも一部の画素の階調値を上げる補正であるか又は下げる補正であるかを示す補正階調情報を含むことを特徴とする請求項１または２に記載の表示装置。
【請求項６】
画素の階調値を上げる補正または下げる補正が、隣接する画素群で連続して行われるときに、
上記補正階調情報は、上記隣接する画素群のうち、最初に補正が行われる画素群にのみ与えられており、他の画素群は、その補正階調情報を参照して補正が行われることを特徴とする請求項５に記載の表示装置。
【請求項７】
補正を行わない画素群が連続するときに、
補正を行わない最初の画素群に与えられる上記補正情報に、補正を行わない画素群がいくつ連続するかを示す情報を含めることを特徴とする請求項５または６に記載の表示装置。
【請求項８】
上記表示画面を複数の領域に分割し、その分割された領域ごとに上記座標情報が与えられることを特徴とする請求項３または４に記載の表示装置。
【請求項９】
表示用画像データに応じた画像を表示するための表示画面を備えた表示装置における上記表示画面の輝度ムラを補正する輝度ムラ補正方法であって、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と、当該表示用画像データに対応する適正輝度値と、の差を小さくするように、上記表示用画像データにおける上記少なくとも一部の輝度ムラ領域に対応する領域または当該輝度ムラ領域とその周辺領域を含む領域である補正領域に含まれる画素のデータを補正するための上記検査用画像データに基づいて作成された補正データを記憶する補正データ記憶工程と、
上記表示用画像データに応じた画像を上記表示画面に表示させる際に、上記補正データに基づいて上記補正領域に含まれる画素のうちの少なくとも一部の画素の階調値を変化させるように上記表示用画像データを補正する画像データ補正工程と、
上記画像データ補正工程によって補正された表示用画像データに応じた画像を表示させるように上記各画素の表示状態を制御する駆動制御工程とを含み、
上記補正データには、上記表示画面に上記検査用画像データに応じた画像を表示させた際の各画素の輝度値あるいは各画素を複数の画素毎に分割した各画素群の輝度値と、上記検査用画像データに対応する当該各画素あるいは当該各画素群の適正輝度値と、の差である輝度ムラ量のばらつき値、および、各輝度ムラ領域における輝度ムラの程度に応じて、各輝度ムラ領域に対応する補正領域をグループ分けしたグループ情報と、そのグループ情報に対応付けられた、グループごとの補正の内容を示す補正情報とが含まれており、
上記画像データ補正工程では、上記各補正領域において階調値を変化させる画素を当該各補正領域についてのグループ分け結果に基づいて決定することを特徴とする輝度ムラ補正方法。
【請求項１０】
上記適正輝度値は、上記検査用画像データに応じた画像が表示されている状態の上記表示画面を撮像して得られる撮像データの輝度値の移動平均値であることを特徴とする請求項９に記載の輝度ムラ補正方法。
【請求項１１】
表示用画像データに応じた画像を表示するための表示画面を備えた表示装置における上記表示画面の輝度ムラを補正する輝度ムラ補正方法であって、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための上記検査用画像データに基づいて作成された補正データを記憶する補正データ記憶工程と、
上記表示用画像データに応じた画像を上記表示画面に表示させる際に、上記補正データに基づいて上記補正領域に含まれる画素のうちの少なくとも一部の画素の階調値を変化させるように上記表示用画像データを補正する画像データ補正工程と、
上記画像データ補正工程によって補正された表示用画像データに応じた画像を表示させるように上記各画素の表示状態を制御する駆動制御工程とを含み、
上記補正データには、所定サイズの領域内に含まれる画素のうちのいずれの画素の階調値を変化させるかを予め定めた１または複数の基本補正パターンを特定するための基本補正パターン情報と、上記基本補正パターンを配置する座標を示す座標情報とが含まれており、
上記画像データ補正工程では、上記各補正領域において階調値を変化させる画素を、上記基本補正パターン情報によって特定される上記基本補正パターン同士を組み合わせることによって決定することを特徴とする輝度ムラ補正方法。
【請求項１２】
上記適正輝度値は、上記検査用画像データに応じた画像が表示されている状態の上記表示画面を撮像して得られる撮像データの輝度値の移動平均値であることを特徴とする請求項１１に記載の輝度ムラ補正方法。
【請求項１３】
上記表示画面を複数の領域に分割し、その分割された領域ごとに上記座標情報が与えられることを特徴とする請求項１１または１２に記載の輝度ムラ補正方法。
【請求項１４】
請求項１、２、５〜７の何れか１項に記載の表示装置における上記補正データを作成する補正データ作成装置であって、
検査用画像データに応じた画像が表示されている状態の上記表示画面を撮像して得られる撮像データにおける各画素の輝度値あるいは各画素を複数の画素毎に分割した各画素群の輝度値と、上記検査用画像データに対応する適正輝度値と、の差を算出し、算出した上記差の大きさが予め定められた閾値以上である画素あるいは画素群の集合からなる領域を輝度ムラ領域として検出する輝度ムラ検出部と、
上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成部とを備えており、
上記補正データ生成部は、
上記表示画面に上記検査用画像データに応じた画像を表示させた際の各画素の輝度値あるいは各画素を複数の画素毎に分割した各画素群の輝度値と、上記検査用画像データに対応する当該各画素あるいは当該各画素群の適正輝度値と、の差である輝度ムラ量のばらつき値、および、各輝度ムラ領域における輝度ムラの程度に応じて、各輝度ムラ領域に対応する補正領域をグループ分けしたグループ情報と、そのグループ情報に対応付けられた、グループごとの補正の内容を示す補正情報とを上記補正データに含めることを特徴とする補正データ作成装置。
【請求項１５】
請求項３、４、または８に記載の表示装置における上記補正データを作成する補正データ作成装置であって、
検査用画像データに応じた画像が表示されている状態の上記表示画面を撮像して得られる撮像データにおける各画素の輝度値あるいは各画素を複数の画素毎に分割した各画素群の輝度値と、上記検査用画像データに対応する適正輝度値と、の差を算出し、算出した上記差の大きさが予め定められた閾値以上である画素あるいは画素群の集合からなる領域を輝度ムラ領域として検出する輝度ムラ検出部と、
上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成部とを備えており、
上記補正データ生成部は、
所定サイズの領域内に含まれる画素のうちのいずれの画素の階調値を変化させるかを予め定めた１または複数の基本補正パターンを特定するための基本補正パターン情報と、上記基本補正パターンを配置する座標を示す座標情報とを上記補正データに含めることを特徴とする補正データ作成装置。
【請求項１６】
請求項１、２、５〜７の何れか１項に記載の表示装置における上記補正データを作成する補正データ作成方法であって、
検査用画像データに応じた画像を上記表示画面に表示させる工程と、
上記検査用画像データに応じた画像が表示されている状態の上記表示画面を撮像して撮像データを取得する工程と、
上記撮像データにおける各画素の輝度値あるいは各画素を複数の画素毎に分割した各画素群の輝度値と、上記検査用画像データに対応する適正輝度値と、の差を算出し、算出した上記差の大きさが予め定められた閾値以上である画素あるいは画素群の集合からなる領域を輝度ムラ領域として検出する輝度ムラ検出工程と、
上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成工程とを含み、
上記補正データ生成工程では、
上記表示画面に上記検査用画像データに応じた画像を表示させた際の各画素の輝度値あるいは各画素を複数の画素毎に分割した各画素群の輝度値と、上記検査用画像データに対応する当該各画素あるいは当該各画素群の適正輝度値と、の差である輝度ムラ量のばらつき値、および、各輝度ムラ領域における輝度ムラの程度に応じて、各輝度ムラ領域に対応する補正領域をグループ分けしたグループ情報と、そのグループ情報に対応付けられた、グループごとの補正の内容を示す補正情報とを上記補正データに含めることを特徴とする補正データ作成方法。
【請求項１７】
請求項３、４、または８に記載の表示装置における上記補正データを作成する補正データ作成方法であって、
検査用画像データに応じた画像を上記表示画面に表示させる工程と、
上記検査用画像データに応じた画像が表示されている状態の上記表示画面を撮像して撮像データを取得する工程と、
上記撮像データにおける各画素の輝度値あるいは各画素を複数の画素毎に分割した各画素群の輝度値と、上記検査用画像データに対応する適正輝度値と、の差を算出し、算出した上記差の大きさが予め定められた閾値以上である画素あるいは画素群の集合からなる領域を輝度ムラ領域として検出する輝度ムラ検出工程と、
上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成工程とを含み、
上記補正データ生成工程では、
所定サイズの領域内に含まれる画素のうちのいずれの画素の階調値を変化させるかを予め定めた１または複数の基本補正パターンを特定するための基本補正パターン情報と、上記基本補正パターンを配置する座標を示す座標情報とを上記補正データに含めることを特徴とする補正データ作成方法。